(57)【要約】  本発明は、アップリンク送信ダイバーシチをサポートする無線通信システム（２００）で用いられる方法及び装置（２０１，２０２，２０４，２０６）に関する。ユーザ機器（２０１）が現在所定の状況のセットのうちの１つにあることが検出される場合、ユーザ機器（２０１）がプリコーディング重みを変更するときに、検出される状況に関連付られた制約のセットが適用される。制約のセットは、プリコーディング重みをどのくらい変更できるかを制限する。ソフトハンドオーバ中のユーザ機器（２０１）は、プリコーディング重みを選択する際、サービング基地局（２０２）からのフィードバック情報のみを考慮するように制限されてもよい。従って、有害な干渉及び／又は劣化したアップリンク／ダウンリンクパフォーマンスの高いリスクが存在する状況で、プリコーディング重みが慎重に選択されるようにすることが可能である。ネットワークノード（２０２，２０４，２０６）は、そのような状況を検出し、プリコーディング重みの選択に適用されるべき制約をユーザ機器に通知するように構成されてもよい。【選択図】図２
2013517735.tif 000002
【特許請求の範囲】
【請求項１】
無線通信システム（２００）のユーザ機器（２０１）におけるアップリンク送信ダイバーシチのための方法であって、
第１のプリコーディング重みのセットを用いてアップリンク送信を実行すること（４１）と、
前記アップリンク送信を継続するための更新後のプリコーディング重みのセットを選択することと、
選択された前記更新後のプリコーディング重みのセットを用いてアップリンク送信を実行すること（４６）と、
を含み、
前記更新後のプリコーディング重みのセットを選択することは：
前記ユーザ機器（２０１）が現在所定の状況のセットのうちの１つにあるのかどうかを検出すること（４３）と、
前記ユーザ機器（２０１）が前記所定の状況のセットのうちの１つにあると検出される場合、前記更新後のプリコーディング重みのセットを選択する際に、検出された状況に関連付られた制約のセットを適用すること（４４）と、
を含み、
前記制約のセットは、前記更新後のプリコーディング重みのセットのプリコーディング重みと前記アップリンク送信に適用された前回のプリコーディング重みとの間の変化の量を制限する、
方法。
【請求項２】
前記制約のセットは、前記更新後のプリコーディング重みのセットの前記プリコーディング重みと、前記第１のプリコーディング重みのセットのプリコーディング重みとの間の最大許容相対位相変化を特定する、請求項１に記載の方法。
【請求項３】
前記制約のセットは、ある期間中の最大相対プリコーディング重み位相変化を特定する、請求項１に記載の方法。
【請求項４】
前記ユーザ機器（２０１）は、前記アップリンク送信にアンテナ切換ダイバーシチを適用しており、前記制約のセットは、前記ユーザ機器が前記アップリンク送信のためにアンテナを切り替えることを制限されることを特定する、請求項１に記載の方法。
【請求項５】
前記所定の状況のセットは、次の状況のうちの少なくとも１つ又は組み合わせを含む、請求項１〜４のいずれか１項に記載の方法：
前記ユーザ機器（２０１）のサービング許可が所定の閾値を超える状況と、
前記ユーザ機器（２０１）がソフトハンドオーバ状態にある状況と、
前記ユーザ機器（２０１）がソフトハンドオーバ状態にあり、且つ、ノンサービングセル（２０５）からオーバーロード標識（２１３）を受信した状況。
【請求項６】
前記ユーザ機器（２０１）が前記所定の状況のセットのうちの１つにあることを検出すること（４３）は、前記所定の状況のセットのうちの１つが検出されたことを示すメッセージをネットワークノード（２０２，２０４，２０６）から受信することを含み、当該ネットワークノードからの当該メッセージの受信に応じて、前記更新後のプリコーディング重みのセットを選択する際、前記制約のセットが適用される、請求項１〜５のいずれか１項に記載の方法。
【請求項７】
アップリンク送信ダイバーシチをサポートする無線通信システム（２００）において用いられるユーザ機器（２０１）であって、前記ユーザ機器（２０１）は、アップリンク送信及びダウンリンク送信のための複数のアンテナ（８１，８２）を備え、前記ユーザ機器（２０１）は：
第１のプリコーディング重みのセットを用いてアップリンク送信を実行し（４１）、
前記アップリンク送信を継続するための更新後のプリコーディング重みのセットを選択し、
選択された前記更新後のプリコーディング重みのセットを用いてアップリンク送信を実行する（４６）、
ように構成され、
前記ユーザ機器は：
前記ユーザ機器（２０１）が現在所定の状況のセットのうちの１つにあるのかどうかを検出し（４３）、
前記ユーザ機器（２０１）が前記所定の状況のセットのうちの１つにあると検出される場合、前記更新後のプリコーディング重みのセットを選択する際に、検出された状況に関連付られた制約のセットを適用する（４４）、
ことによって、前記更新後のプリコーディング重みのセットを選択するように構成され、
前記制約のセットは、前記更新後のプリコーディング重みのセットのプリコーディング重みと前記アップリンク送信に適用された前回のプリコーディング重みとの間の変化の量を制限する、
ユーザ機器（２０１）。
【請求項８】
前記制約のセットは、前記更新後のプリコーディング重みのセットの前記プリコーディング重みと、前記第１のプリコーディング重みのセットのプリコーディング重みとの間の最大許容相対位相変化を特定する、請求項７に記載のユーザ機器（２０１）。
【請求項９】
前記制約のセットは、ある期間中の最大相対プリコーディング重み位相変化を特定する、請求項７に記載のユーザ機器（２０１）。
【請求項１０】
前記ユーザ機器（２０１）は、前記アップリンク送信にアンテナ切換ダイバーシチを適用するように構成され、前記制約のセットは、前記ユーザ機器（２０１）が前記アップリンク送信のためにアンテナを切り替えることを制限されることを特定する、請求項７に記載のユーザ機器（２０１）。
【請求項１１】
前記所定の状況のセットは、次の状況のうちの少なくとも１つ又は組み合わせを含む、請求項７〜１０のいずれか１項に記載のユーザ機器（２０１）：
前記ユーザ機器（２０１）のサービング許可が所定の閾値を超える状況と、
前記ユーザ機器（２０１）がソフトハンドオーバ状態にある状況と、
前記ユーザ機器（２０１）がソフトハンドオーバ状態にあり、且つ、ノンサービングセル（２０５）からオーバーロード標識（２１３）を受信した状況。
【請求項１２】
前記ユーザ機器（２０１）は、前記所定の状況のセットのうちの１つが検出されたことを示すメッセージをネットワークノード（２０２，２０４，２０６）から受信することによって、前記ユーザ機器（２０１）が前記所定の状況のセットのうちの１つにあることを検出する（４３）ように構成され、前記ユーザ機器（２０１）は、当該ネットワークノード（２０２，２０４，２０６）からの当該メッセージの受信に応じて、前記更新後のプリコーディング重みのセットを選択する際、前記制約のセットを適用する（４４）ように構成される、請求項７〜１１のいずれか１項に記載のユーザ機器（２０１）。
【請求項１３】
無線通信システム（２００）のユーザ機器（２０１）におけるアップリンク送信ダイバーシチをサポートするための、前記無線通信システム（２００）のネットワークノード（２０２，２０４，２０６）で用いられる方法であって、
前記ユーザ機器（２０１）が現在所定の状況のセットのうちの１つにあるかどうかを検出すること（６１）と、
前記ユーザ機器が前記所定の状況のセットのうちの１つにあると検出される場合、前記ユーザ機器（２０１）にメッセージを送信して（６２）、検出された状況に関連付られた制約のセットをアップリンク送信用の更新後のプリコーディング重みのセットを選択する際に適用すべきことを前記ユーザ機器（２０１）に通知することと、
を含み、
前記制約のセットは、前記更新後のプリコーディング重みのセットのプリコーディング重みと前記アップリンク送信に適用された前回のプリコーディング重みとの間の変化の量を制限する、
方法。
【請求項１４】
前記ネットワークノードは基地局（２０２，２０４）であり、前記所定の状況のセットは、次の状況のうちの少なくとも１つ又は組み合わせを含む、請求項１３に記載の方法：
前記基地局が、所定の第１の閾値を超えるスケジュールドグラント（２１２）を前記ユーザ機器（２０１）に発行した状況と、
前記ユーザ機器が、所定の第２の閾値を超える拡張専用チャネルのトランスポートフォーマット組み合わせ識別子を使用することを、前記基地局が検出する状況と、
前記基地局が、所定の第３の閾値を超えるスケジュールドグラント（２１２）を前記ユーザ機器（２０１）に発行し、且つ、前記ユーザ機器が、所定の第４の閾値を超えるトータル拡張専用チャネルバッファステータス値を前記基地局に報告した状況と、
前記ユーザ機器によって報告されるアップリンク電力ヘッドルームが所定の第５の閾値を超えることを、前記基地局が検出する状況と、
前記ユーザ機器によって報告されるチャネル品質情報値が所定の第６の閾値を下回ることを、前記基地局が検出する状況と、
セル間干渉の推定値が所定の第７の閾値を超える状況。
【請求項１５】
前記ネットワークノードは、無線ネットワークコントローラ（２０６）であり、前記所定の状況のセットは、次の状況のうちの少なくとも１つ又は組み合わせを含む、請求項１３に記載の方法：
新たな隣接基地局が、前記ユーザ機器のレポーティング領域に入りつつあることが検出される状況と、
隣接基地局が、前記ユーザ機器のレポーティング領域から離れつつあることが検出される状況と、
前記ユーザ機器が、ソフトハンドオーバ状態に設定されるべきである状況と、
前記ユーザ機器のフィルタリングされた送信電力が、当該ユーザ機器についての所定の第８の閾値を超えることが検出される状況と、
前記ユーザ機器の前記フィルタリングされた送信電力が、当該ユーザ機器についての所定の第９の閾値を下回ることが検出される状況。
【請求項１６】
アップリンク送信ダイバーシチをサポートする無線通信システムにおいて用いられるネットワークノード（２０２，２０４，２０６）であって、前記ネットワークノードは、
前記無線通信システム（２００）のユーザ機器（２０１）が現在所定の状況のセットのうちの１つにあるかどうかを検出し（６１）、
前記ユーザ機器（２０１）が前記所定の状況のセットのうちの１つにあると検出される場合、前記ユーザ機器（２０１）にメッセージを送信して（６２）、検出された状況に関連付られた制約のセットをアップリンク送信用の更新後のプリコーディング重みのセットを選択する際に適用すべきことを前記ユーザ機器（２０１）に通知する、
ように構成され、
前記制約のセットは、前記更新後のプリコーディング重みのセットのプリコーディング重みと前記アップリンク送信に適用された前回のプリコーディング重みとの間の変化の量を制限する、
ネットワークノード。
【請求項１７】
前記ネットワークノードは、基地局（２０２，２０４）であり、前記所定の状況のセットは、次の状況のうちの少なくとも１つ又は組み合わせを含む、請求項１６に記載のネットワークノード：
前記基地局が、所定の第１の閾値を超えるスケジュールドグラント（２１２）を前記ユーザ機器（２０１）に発行した状況と、
前記ユーザ機器が、所定の第２の閾値を超える拡張専用チャネルのトランスポートフォーマット組み合わせ識別子を使用することを、前記基地局が検出する状況と、
前記基地局が、所定の第３の閾値を超えるスケジュールドグラント（２１２）を前記ユーザ機器（２０１）に発行し、且つ、前記ユーザ機器が、所定の第４の閾値を超えるトータル拡張専用チャネルバッファステータス値を前記基地局に報告した状況と、
前記ユーザ機器によって報告されるアップリンク電力ヘッドルームが所定の第５の閾値を超えることを、前記基地局が検出する状況と、
前記ユーザ機器によって報告されるチャネル品質情報値が所定の第６の閾値を下回ることを、前記基地局が検出する状況と、
セル間干渉の推定値が所定の第７の閾値を超える状況。
【請求項１８】
前記ネットワークノードは、無線ネットワークコントローラ（２０６）であり、前記所定の状況のセットは、次の状況のうちの少なくとも１つ又は組み合わせを含む、請求項１６に記載のネットワークノード：
新たな隣接基地局が、前記ユーザ機器のレポーティング領域に入りつつあることが検出される状況と、
隣接基地局が、前記ユーザ機器のレポーティング領域から離れつつあることが検出される状況と、
前記ユーザ機器が、ソフトハンドオーバ状態に設定されるべきである状況と、
前記ユーザ機器のフィルタリングされた送信電力が、当該ユーザ機器についての所定の第８の閾値を超えることが検出される状況と、
前記ユーザ機器の前記フィルタリングされた送信電力が、当該ユーザ機器についての所定の第９の閾値を下回ることが検出される状況。
【請求項１９】
無線通信システム（２００）のユーザ機器（２０１）におけるアップリンク送信ダイバーシチのための方法であって、前記ユーザ機器（２０１）は、ソフトハンドオーバ状態にあり、且つ、サービング基地局（２０２）及び複数のノンサービング基地局（２０３）と通信中であり、前記方法は、
第１のプリコーディング重みのセットを用いてアップリンク送信を実行すること（５１）と、
前記サービング基地局と前記複数のノンサービング基地局のうちの少なくとも１つとからフィードバック情報を受信すること（５２）と、
受信された前記フィードバック情報に基づいて、前記アップリンク送信を継続するための更新後のプリコーディング重みのセットを選択することと、
選択された前記更新後のプリコーディング重みのセットを用いてアップリンク送信を実行すること（５７）と
を含み、
前記更新後のプリコーディング重みのセットを選択することは、
前記ユーザ機器（２０１）が現在所定の状況のセットのうちの１つにあるかどうかを検出すること（５４）と、
前記ユーザ機器（２０１）が前記所定の状況のセットのうちの１つにあると検出される場合、前記更新後のプリコーディング重みのセットを選択する際に、前記サービング基地局から受信された前記フィードバック情報のみを考慮すること（５５）と、
を含む、
方法。
【請求項２０】
前記所定の状況のセットは、前記ユーザ機器（２０１）がソフトハンドオーバ状態にある状況を含む、請求項１９に記載の方法。
【請求項２１】
前記所定の状況のセットは、次の状況のうちの少なくとも１つ又は組み合わせを含む、請求項１９に記載の方法：
前記ユーザ機器（２０１）のスケジュールドグラント（２１２）が所定の閾値を超える状況と、
前記サービング基地局（２０２）から、所定の相対的な数の否定応答標識が受信された状況と、
高速ダウンリンク物理制御チャネルの劣化したアップリンクカバレッジの標識が検出された状況と、
前記ユーザ機器（２０１）が肯定応答を送信した、所定の相対的な数のパケットの再送信が受信された状況。
【請求項２２】
前記ユーザ機器が前記所定の状況のセットのうちの１つにあることを検出すること（５４）は、前記所定の状況のセットのうちの１つが検出されたことを示すメッセージを、ネットワークノード（２０２，２０４，２０６）から受信することを含み、当該ネットワークノード（２０２，２０４，２０６）からの当該メッセージの受信に応じて、前記更新後のプリコーディング重みのセットを選択する（５５）際に、前記サービング基地局から受信された前記フィードバック情報のみが考慮される、請求項１９〜２１のいずれか１項に記載の方法。
【請求項２３】
アップリンク送信ダイバーシチをサポートするための無線通信システム（２００）において用いられるユーザ機器（２０１）であって、当該ユーザ機器（２０１）は、アップリング送信及びダウンリンク送信のための複数のアンテナ（８１，８２）を備え、前記ユーザ機器（２０１）は、ソフトハンドオーバ状態にある場合に、
サービング基地局（２０２）及び複数のノンサービング（２０３）基地局と通信し、
第１のプリコーディング重みのセットを用いてアップリンク送信を実行し（５１）、
前記サービング基地局（２０２）と前記複数のノンサービング基地局（２０３）のうちの少なくとも１つとからフィードバック情報を受信し（５２）、
受信された前記フィードバック情報に基づいて、前記アップリンク送信を継続するための更新後のプリコーディング重みのセットを選択し、
選択された前記更新後のプリコーディング重みのセットを用いて、アップリンク送信を実行する（５７）ように構成され、
前記ユーザ機器（２０１）は、
前記ユーザ機器が現在所定の状況のセットのうちの１つにあるかどうかを検出し（５４）、
前記ユーザ機器（２０１）が前記所定の状況のセットのうちの１つにあると検出される場合、前記更新後のプリコーディング重みのセットを選択する際（５５）に、前記サービング基地局から受信された前記フィードバック情報のみを考慮する、
ことによって、前記更新後のプリコーディング重みのセットを選択するように構成される、
ユーザ機器（２０１）。
【請求項２４】
前記所定の状況のセットは、前記ユーザ機器（２０１）が前記ソフトハンドオーバ状態にある状況を含む、請求項２３に記載のユーザ機器（２０１）。
【請求項２５】
前記所定の状況のセットは、次の状況のうちの少なくとも１つ又は組み合わせを含む、請求項２３に記載のユーザ機器（２０１）：
前記ユーザ機器のスケジュールドグラント（２１２）が所定の閾値を超える状況と、
前記サービング基地局（２０２）から、所定の相対的な数の否定応答標識が受信された状況と、
高速ダウンリンク物理制御チャネルの劣化したアップリンクカバレッジの標識が検出された状況と、
前記ユーザ機器（２０１）が肯定応答を送信した、所定の相対的な数のパケットの再送信が受信された状況。
【請求項２６】
前記ユーザ機器（２０１）は、前記所定の状況のセットのうちの１つが検出されたことを示すメッセージを、ネットワークノード（２０２，２０４，２０６）から受信することによって、前記ユーザ機器（２０１）が前記所定の状況のセットのうちの１つにあることを検出するように構成され、前記ユーザ機器（２０１）は、当該ネットワークノード（２０２，２０４，２０６）からの当該メッセージの受信に応じて、前記更新後のプリコーディング重みのセットを選択する（５５）際に、前記サービング基地局（２０２）から受信された前記フィードバック情報のみを考慮するように構成される、請求項２３〜２５のいずれか１項に記載のユーザ機器（２０１）。
【請求項２７】
ソフトハンドオーバ状態にあるユーザ機器（２０１）におけるアップリンク送信ダイバーシチをサポートするための無線通信システム（２００）のネットワークノード（２０２，２０４，２０６）における方法であって、当該ユーザ機器（２０１）は、サービング基地局（２０２）及び複数のノンサービング基地局（２０３）からフィードバック情報を受信しており、当該方法は、
前記ユーザ機器（２０１）が現在所定の状況のセットのうちの１つにあるかどうかを検出すること（７１）と、
前記ユーザ機器（２０１）が前記所定の状況のセットのうちの１つにあると検出される場合、メッセージを前記ユーザ機器に送信して（７２）、前記サービング基地局（２０２）から受信された前記フィードバック情報のみをアップリンク送信用に更新後のプリコーディング重みのセットを選択する際に考慮すべきことを通知することと、
を含む、方法。
【請求項２８】
前記ネットワークノードは基地局（２０２，２０４）であり、前記所定の状況のセットは、次の状況のうちの少なくとも１つ又は組み合わせを含む、請求項２７に記載の方法：
高速ダウンリンク物理制御チャネルの劣化したアップリンクカバレッジの標識が検出された状況と、
前記基地局が前記ユーザ機器に送信した複数のパケットに対応する、所定の相対的な数の肯定応答メッセージを、前記基地局が前記高速ダウンリンク物理制御チャネル上で検出できない状況と、
前記ユーザ機器からのチャネル品質標識が期待された複数のタイムスロットにおいて、所定の相対的な数のチャネル品質標識を、前記基地局が検出できなかった状況と、
所定の相対的な数の否定応答標識が前記基地局から前記ユーザ機器に送信された状況と、
前記基地局における、測定される高速ダウンリンク物理制御チャネルの信号対干渉比、即ち、ＳＩＲと、所定のＳＩＲターゲットとの差が、所定の期間について所定の第１の閾値を超える状況と、
フラクショナル専用物理チャネル上で送信される送信電力制御（transmit  power  control）、即ちＴＰＣ、ＵＰコマンドの相対的な数が、所定の第２の閾値を超える状況。
【請求項２９】
前記ネットワークノードは、無線ネットワークコントローラ（２０６）であり、前記所定の状況のセットは、次の状況のうちの少なくとも１つ又は組み合わせを含む、請求項２７に記載の方法：
前記ユーザ機器が、前記サービング基地局に対して、前記複数のノンサービング基地局のうちの１つに対するよりも、弱いリンクを有するという標識が検出される状況と、
ダウンリンク無線リンク制御再送信の確率が、所定の第３の閾値を超える状況。
【請求項３０】
アップリンク送信ダイバーシチをサポートする無線通信システム（２００）において用いられるネットワークノード（２０２，２０４，２０６）であって、
ソフトハンドオーバ状態にあり、且つ、サービング基地局（２０２）及び複数のノンサービング基地局（２０３）からフィードバック情報を受信する、ユーザ機器（２０１）が現在所定の状況のセットのうちの１つにあるかどうかを検出し（７１）、
前記ユーザ機器（２０１）が前記所定の状況のセットのうちの１つにあると検出される場合、メッセージを前記ユーザ機器（２０１）に送信して（７２）、前記サービング基地局（２０２）から受信された前記フィードバック情報のみをアップリンク送信用の更新後のプリコーディング重みのセットを選択する際に考慮すべきことを前記ユーザ機器に通知する、
ように構成される、ネットワークノード（２０２，２０４，２０６）。
【請求項３１】
前記ネットワークノードは基地局（２０２，２０４）であり、前記所定の状況のセットは、次の状況のうちの少なくとも１つ又は組み合わせを含む、請求項３０に記載のネットワークノード：
高速ダウンリンク物理制御チャネルの劣化したアップリンクカバレッジの標識が検出された状況と、
前記基地局が前記ユーザ機器に送信した複数のパケットに対応する、所定の相対的な数の肯定応答メッセージを、前記基地局が前記高速ダウンリンク物理制御チャネル上で検出できない状況と、
前記ユーザ機器からのチャネル品質標識が期待された複数のタイムスロットにおいて、所定の相対的な数のチャネル品質標識を、前記基地局が検出できなかった状況と、
所定の相対的な数の否定応答標識が前記基地局から前記ユーザ機器に送信された状況と、
前記基地局における、測定される高速ダウンリンク物理制御チャネルの信号対干渉比、即ち、ＳＩＲと、所定のＳＩＲターゲットとの差が、所定の期間について所定の第１の閾値を超える状況と、
フラクショナル専用物理チャネル上で送信される送信電力制御（transmit  power  control）、即ちＴＰＣ、ＵＰコマンドの相対的な数が、所定の第２の閾値を超える状況。
【請求項３２】
前記ネットワークノードは無線ネットワークコントローラ（２０６）であり、前記所定の状況のセットは、次の状況のうちの少なくとも１つ又は組み合わせを含む、請求項３０に記載のネットワークノード：
前記ユーザ機器が、前記サービング基地局に対して、前記複数のノンサービング基地局のうちの１つに対するよりも、弱いリンクを有するという標識が検出される状況と、
ダウンリンク無線リンク制御再送信の確率が、所定の第３の閾値を超える状況。
【発明の詳細な説明】
【技術分野】
【０００１】
本発明は、無線通信システムにおけるアップリンク送信ダイバーシチに関し、特に、アップリンク送信ダイバーシチの幾つかの状況（situations）において、劣化したアップリンクパフォーマンス及び／又はダウンリンクパフォーマンスを回避することを可能にする方法及び装置に関する。
【背景技術】
【０００２】
現在、第３世代パートナーシッププロジェクト（３ＧＰＰ）は、高速アップリンクパケットアクセス（ＨＳＵＰＡ：High-Speed  Uplink  Packet  Access）のコンテキストにおけるアップリンク送信（Ｔｘ）ダイバーシチの潜在的利益を評価中である。アップリンク送信ダイバーシチによれば、２つ以上の送信アンテナを備えるユーザ機器（ＵＥ）は、これらのアンテナ全てをアップリンク送信に利用することが可能である。送信ダイバーシチの背景にある基本的な考え方は、実効チャネルにおける変動を活用して、ユーザパフォーマンス及びネットワークパフォーマンスを改善することである。実効チャネルという用語は、本明細書において、送信アンテナの遠視野パターンと、受信アンテナに関連付られたアンテナパターンと、送信アンテナ及び受信アンテナの間の無線チャネルとの複合効果を包含する。これは、ＵＥ出力信号ｓ（ｔ）に複素プリコーディング重みｗｉのセットを乗じることによって達成される。ここで、ｉ＝１．．．Ｎであり、Ｎは送信アンテナの数を表す。プリコーディング重みは、しばしばアンテナ重みとも称される。「プリコーディング重み」及び「アンテナ重み」という用語は、本明細書において殆ど同じ意味で用いられる。
【０００３】
アップリンク送信ダイバーシチを用いることによって、ＵＥによって用いられるアンテナ重みを、ユーザパフォーマンス及び／又はネットワークパフォーマンスを最大化するような方法で適合させてもよい。ＵＥの実装に応じて、アンテナ重みは様々な制約と関連付られてもよい。３ＧＰＰ内では、２つのクラスの送信ダイバーシチが考慮される：
‐アンテナ切換ダイバーシチ  ＵＥは任意の時点（time-instance）で自身のアンテナのうちの１つのみから送信する。従って、ｗｉ≠０の場合、全てのｊ≠ｉについてｗｊ＝０である。
‐ビーム形成  ＵＥは任意の時点で２つ以上のアンテナから同時に送信することができる。ビーム形成を用いることで、ターゲットとなる受信機の方向にアンテナビーム全体を形成することが可能となる。
【０００４】
アンテナ切換ダイバーシチは、単一の電力増幅器（ＰＡ：power  amplifier）を備えるＵＥの実装に適用されることができる一方で、ビーム形成による解決法は、送信アンテナごとに１つのＰＡを必要とすることがある。
【０００５】
アンテナ切換ダイバーシチは、アンテナ重みの１つが１であり（即ち、スイッチオンされ）、ＵＥのその他のアンテナのアンテナ重みが０である（即ち、スイッチオフされる）、ビーム形成の特別な場合とみなすことができる。
【０００６】
適当なアンテナ重みの選択は、実効チャネルにおける変動を建設的に活用するために、極めて重要である。さらに、アンテナ重みの変化のタイミングは重要である。アンテナ重みが変化する場合、ノードＢといった基地局によって把握される実効チャネルが、急激に変化することがある。例えば、２つのアンテナを用いるアンテナ切換ダイバーシチの場合、ＵＥがアンテナ１の代わりにアンテナ２から送信を開始すると、対応するアンテナ重みｗ１／ｗ２は１／０から０／１に一瞬のうちに変化するであろう。結果として、前回のチャネル推定が無効となり、チャネル推定が更新され、且つ、ノードＢが新たなチャネルを反映するようにそのチャネル推定を調整するまで、ノードＢにおける実効信号対干渉比（ＳＩＲ：signal-to-interference  ratio）の悪化及びパケットエラーをもたらすことがある。
【０００７】
アンテナ切換ダイバーシチ又はビーム形成のどちらが検討されるかに関わらず、アンテナ重みの選択は、サービングノードＢが、使用されるべき重みを特定するＵＥに、明示的フィードバックを提供することに基づいてもよい。これは、重みを特定するフィードバック用のフィードバックチャネルを必要とするであろう。別のアプローチは、どのアンテナ重みを適用するかをＵＥに自律的に決定させることである。アンテナ重みの選択は、例えば、フィードバックチャネルＦ−ＤＰＣＨ（Fractional  Dedicated  Physical  Channel）上で受信される送信電力制御（ＴＰＣ：Transmission  Power  Control）コマンドといった他の目的のために送信されるフィードバックの評価に基づいてもよい。
【０００８】
３ＧＰＰにおいて、3GPP  Tdoc  RP-090987,  3GPP  Work  Item  Description:  Uplink  Tx  Diversity  for  HSPAに記載されるように、ネットワークとＵＥとの間で新たに標準化されたダイナミックフィードバックシグナリングをも必要としない、ＨＳＰＡ用のアップリンク送信ダイバーシチ技法を調査することが決定されている。幾つかの提案されたスキームによれば、ＵＥは、フィードバックチャネルＦ−ＤＰＣＨ上で受信されるＴＰＣコマンドをモニタして、アンテナ重みを選択すべきである。Ｆ−ＤＰＣＨは、既に存在しているフィードバックチャネルであり、ＴＰＣコマンドは、アップリンク送信電力制御のために既に送信されているフィードバック情報である。例えば、アンテナ切換ダイバーシチを用いて動作するＵＥが、多数の連続するＴＰＣ  ＵＰコマンドをＦ−ＤＰＣＨ上でサービングセルから受信する場合、ＵＥは、送信のために別のアンテナに切り換えることが有益な可能性が高いと結論を出してもよい。
【０００９】
３ＧＰＰにおいて、焦点は、ＵＥがアンテナ重みを自律的に選択するアップリンク送信ダイバーシチスキームに置かれてきた。この結果、ノードＢは、アンテナ重みに変化が生じたことも、ＵＥがアンテナ重みを選択するために適用する方法も把握しない。これまで３ＧＰＰで考慮されたスキームは、アンテナ重みを決定する場合、ＴＰＣコマンド、又は、ＵＥがソフトハンドオーバ（ＳＨＯ：soft  handover）中のときは合成されたＴＰＣのみ、に基づいていた。
【００１０】
上述したように、適当なプリコーディング重みの選択は非常に重要であり、アンテナ重みを選択するＵＥに関連付られたアップリンクパフォーマンス及び／又はダウンリンクパフォーマンスに影響を及ぼすだけでなく、干渉に起因して他のＵＥ及びノードＢに関連付けられたアップリンクパフォーマンス及び／又はダウンリンクパフォーマンスにも影響を及ぼすことがある。そのため、プリコーディング重みを慎重に選択することは、重要である。
【発明の概要】
【発明が解決しようとする課題】
【００１１】
本発明の目的は、アップリンク送信ダイバーシチのための適当なプリコーディング重みを選択することを可能にする方法及び装置を提供することにある。
【課題を解決するための手段】
【００１２】
上記目的は、独立請求項に係る方法、ユーザ機器及びネットワークノードによって達成される。
【００１３】
第１の実施形態は、無線通信システムのユーザ機器におけるアップリンク送信ダイバーシチのための方法を提供する。この方法によれば、アップリンク送信は、第１のプリコーディング重みのセットを用いて実行される。その後、アップリンク送信を継続するために更新後のプリコーディング重みのセットが選択される。更新後のプリコーディング重みのセットを選択することは、ユーザ機器が現在所定の状況のセットのうちの１つにあるのかどうかを検出することを含む。ユーザ機器が所定の状況のセットのうちの１つにあると検出される場合、更新後のプリコーディング重みのセットを選択する際に、検出された状況に関連付られた制約のセットが適用される。制約のセットは、更新後のプリコーディング重みのセットのプリコーディング重みとアップリンク送信に適用された前回のプリコーディング重みとの間の変化の量を制限する。この方法のさらなるステップにおいて、選択された更新後のプリコーディング重みのセットを用いて、アップリンク送信が実行される。
【００１４】
第２の実施形態は、アップリンク送信ダイバーシチをサポートする無線通信システムにおいて用いられるユーザ機器を提供する。ユーザ機器は、アップリンク送信及びダウンリンク送信のための複数のアンテナを備える。ユーザ機器は、第１のプリコーディング重みのセットを用いてアップリンク送信を実行するように構成される。ユーザ機器は、アップリンク送信を継続するための更新後のプリコーディング重みのセットを選択するようにさらに構成される。ユーザ機器は、当該ユーザ機器が現在所定の状況のセットのうちの１つにあるのかどうかを検出することによって、更新後のプリコーディング重みのセットを選択するように構成される。ユーザ機器が所定の状況のセットのうちの１つにあると検出される場合、ユーザ機器は、更新後のプリコーディング重みのセットを選択する際に、検出された状況に関連付られた制約のセットを適用するように構成される。制約のセットは、更新後のプリコーディング重みのセットのプリコーディング重みとアップリンク送信に適用された前回のプリコーディング重みとの間の変化の量を制限する。ユーザ機器は、選択された更新後のプリコーディング重みのセットを用いてアップリンク送信を実行するようにも構成される。
【００１５】
第３の実施形態は、無線通信システムのユーザ機器におけるアップリンク送信ダイバーシチをサポートするための、無線通信システムのネットワークノードにおける方法を提供する。この方法によれば、ユーザ機器は現在所定の状況のセットのうちの１つにあるかどうかが検出される。ユーザ機器は所定の状況のセットのうちの１つにあると検出される場合、アップリンク送信用の更新後のプリコーディング重みのセットを選択する際に、ユーザ機器に、検出された状況に関連付られた制約のセットを適用することを通知するように、ユーザ機器にメッセージが送信される。制約のセットは、更新後のプリコーディング重みのセットのプリコーディング重みとアップリンク送信に適用された前回のプリコーディング重みとの間の変化の量を制限する。
【００１６】
第４の実施形態は、アップリンク送信ダイバーシチをサポートするための無線通信システムにおいて用いられるネットワークノードを提供する。ネットワークノードは、無線通信システムのユーザ機器が現在所定の状況のセットのうちの１つにあるかどうかを検出するように構成される。ネットワークノードは、ユーザ機器が所定の状況のセットのうちの１つにあると検出される場合、アップリンク送信用の更新後のプリコーディング重みのセットを選択する際に、ユーザ機器に、検出された状況に関連付られた制約のセットを適用することを通知するように、ユーザ機器にメッセージを送信するように構成される。制約のセットは、更新後のプリコーディング重みのセットのプリコーディング重みとアップリンク送信に適用された前回のプリコーディング重みとの間の変化の量を制限する。
【００１７】
第５の実施形態は、ソフトハンドオーバ状態にあり、且つ、サービング基地局及び複数のノンサービング基地局と通信中であるユーザ機器におけるアップリンク送信ダイバーシチのための方法を提供する。この方法によれば、第１のプリコーディング重みのセットを用いたアップリンク送信が実行される。この方法のさらなるステップにおいて、サービング基地局と複数のノンサービング基地局のうちの少なくとも１つとからフィードバック情報が受信される。別のステップにおいて、アップリンク送信を継続するために、更新後のプリコーディング重みのセットが選択される。更新後のプリコーディング重みのセットの選択は、受信されたフィードバック情報に基づく。ユーザ機器は所定の状況のセットのうちの１つにあると検出される場合、更新後のプリコーディング重みのセットを選択する際に、サービング基地局から受信されたフィードバック情報のみが考慮される。この方法のさらに別のステップにおいて、選択された更新後のプリコーディング重みのセットを用いてアップリンク送信が実行される。
【００１８】
第６の実施形態は、アップリンク送信ダイバーシチをサポートする無線通信システムにおいて用いられるためのユーザ機器を提供する。ユーザ機器は、アップリング送信及びダウンリンク送信のための複数のアンテナを備える。ユーザ機器は、ソフトハンドオーバ状態にある場合に、サービング基地局及び複数のノンサービング基地局と通信するように構成される。ユーザ機器は、第１のプリコーディング重みのセットを用いてアップリンク送信を実行し、且つ、サービング基地局と複数のノンサービング基地局のうちの少なくとも１つとからフィードバック情報を受信するようにも構成される。ユーザ機器は、受信されたフィードバック情報に基づいて、アップリンク送信を継続するための更新後のプリコーディング重みのセットを選択し、且つ、ユーザ機器が現在所定の状況のセットのうちの１つにあるかどうかを検出するようにさらに構成される。ユーザ機器が所定の状況のセットのうちの１つにあると検出される場合、ユーザ機器は、更新後のプリコーディング重みのセットを選択する際に、サービング基地局から受信されたフィードバック情報のみを考慮するように構成される。また、ユーザ機器は、選択された更新後のプリコーディング重みのセットを用いて、アップリンク送信を実行するように構成される。
【００１９】
第７の実施形態は、ソフトハンドオーバ状態にあり、且つ、サービング基地局及び複数のノンサービング基地局からフィードバック情報を受信しているユーザ機器におけるアップリンク送信ダイバーシチをサポートするための無線通信システムのネットワークノードにおける方法を提供する。この方法によれば、ユーザ機器が現在所定の状況のセットのうちの１つにあるかどうかが検出される。ユーザ機器が所定の状況のセットのうちの１つにあると検出される場合、アップリンク送信用に更新後のプリコーディング重みのセットを選択する際に、サービング基地局から受信されたフィードバック情報のみを考慮することをユーザ機器に通知するためのメッセージがユーザ機器に送信される。
【００２０】
第８の実施形態は、アップリンク送信ダイバーシチをサポートする無線通信システムにおいて用いられるネットワークノードを提供する。ネットワークノードは、ソフトハンドオーバ状態にあり、且つ、サービング基地局及び複数のノンサービング基地局からフィードバック情報を受信するユーザ機器が現在所定の状況のセットのうちの１つにあるかどうかを検出するように構成される。ユーザ機器が所定の状況のセットのうちの１つにあると検出される場合、ネットワークノードは、アップリンク送信用の更新後のプリコーディング重みのセットを選択する際に、サービング基地局から受信されたフィードバック情報のみを考慮することをユーザ機器に通知するためのメッセージを、ユーザ機器に送信するように構成される。
【００２１】
上記実施形態の利点は、これらの実施形態が、アップリンク送信ダイバーシチを適用しているＵＥの所定の状況の検出、及び、検出された状況に適合されるＵＥにおけるプリコーディング重み選択プロシージャのトリガリングを可能とすることである。従って、本発明の幾つかの実施形態は、劣化したアップリンクパフォーマンス及び／又はダウンリンクパフォーマンスをもたらし得るプリコーディング重みを使用することを回避することを可能にする。
【００２２】
別の利点は、上記実施形態が、様々なアップリンク送信ダイバーシチ技法と共に使用されてもよいことである。様々なアップリンク送信ダイバーシチ技法の例には、アンテナ切替送信ダイバーシチ及びビーム形成がある。
【００２３】
本発明の実施形態の更なる利点及び特徴は、以下の詳細な説明を図面と共に読むことで明らかとなるであろう。
【図面の簡単な説明】
【００２４】
【図１】一般的な送信ダイバーシチを示す概略ブロック図である。
【図２】本発明の実施形態が実装され得る無線通信システムの概略ブロック図である。
【図３ａ】適用されるアンテナ重みの間の様々な相対位相差についての様々な方位角の関数としての、２つの送信アンテナを有する線形等間隔アンテナアレイについての遠距離場アンテナパターンを示す図である。
【図３ｂ】適用されたアンテナ重み間の異なる相対位相差についての様々な方位角の関数としての、２つの送信アンテナを有する線形に等間隔のアンテナアレイについての遠距離場アンテナパターンを示す図である。
【図３ｃ】適用されたアンテナ重み間の異なる相対位相差についての様々な方位角の関数としての、２つの送信アンテナを有する線形に等間隔のアンテナアレイについての遠距離場アンテナパターンを示す図である。
【図４】アップリンク送信ダイバーシチのためのユーザ機器における方法の一実施形態を示すフロー図である。
【図５】アップリンク送信ダイバーシチのためのユーザ機器における方法の別の実施形態を示すフロー図である。
【図６】ユーザ機器におけるアップリンク送信ダイバーシチをサポートするためのネットワークノードにおける方法の一実施形態を示すフロー図である。
【図７】ユーザ機器におけるアップリンク送信ダイバーシチをサポートするためのネットワークノードにおける方法の別の実施形態を示すフロー図である。
【図８】アップリンク送信ダイバーシチ用に構成されるユーザ機器の一実施形態を示す概略ブロック図である。
【図９】アップリンク送信ダイバーシチ用に構成されるユーザ機器の別の実施形態を示す概略ブロック図である。
【発明を実施するための形態】
【００２５】
本発明は、添付の図面を参照しつつ、以下により詳細に記載されて、本発明の好適な実施形態が示されるであろう。ただし、本発明は、多様な形態で具体化してもよく、本明細書に開示される実施形態に限定して解釈されるべきではない。むしろ、これらの実施形態は、本開示が漏れなく完全であるように、且つ、本発明の範囲を当業者に充分に伝達するように提供される。
【００２６】
本明細書において、「アンテナ」という用語は「アンテナエレメント」という用語と殆ど同じ意味で用いられる。従って、本明細書において、複数のアンテナを有するユーザ機器に言及する場合、これは複数のアンテナエレメント構成を有するユーザ機器を含む。
【００２７】
本明細書に記載される実施形態の幾つかは、ノードＢに関連して記載される。ノードＢは、ＷＣＤＭＡ／ＨＳＰＡ（Wideband  Code  Division  Multiple  Access/High-Speed  Packet  Access）における基地局又は無線基地局である。ただし、本発明は、ＷＣＤＭＡ／ＨＳＰＡに限定されるものではない。本発明の実施形態は、ＬＴＥ（Long-Term  Evolution）にも適用可能である。ＬＴＥにおける基地局は、ｅＮｏｄｅＢと称される。
【００２８】
送信ダイバーシチの一般的なケースは、図１に示される。入力信号ｓ（ｔ）は、送信アンテナａ１，ａ２，…，ａＮから、送信アンテナ重みｗ１，ｗ２，…，ｗＮを用いて送信される。送信アンテナａ１，ａ２，…，ａＮからの送信は、受信アンテナｂ１，…，ｂＭによって受信され、合成器に供給される。各送信アンテナと各受信アンテナとの間のパス又はリンクは、ｈｉ，ｊと表され、ここでｉ＝１，…，Ｎ及びｊ＝１，…，Ｍである。
【００２９】
図２は、アップリンク送信ダイバーシチをサポートし、且つ、本発明の実施形態が実装され得る、無線通信システム２００の一例を示す。例示的な無線通信システム２００は、ＨＳＰＡシステムである。簡単のため、本明細書で議論される実施形態に特に関連する無線通信システムの部分のみが示されている。無線通信システムは、サービングセル２０３内のＵＥ２０１にサービスする基地局２０２、即ちこの例ではノードＢを備える。ＵＥ２０１には、アップリンク送信ダイバーシチを可能にするための複数のアンテナが設けられる。ＵＥがソフトハンドオーバ（ＳＨＯ）状態にある場合、ＵＥ２０１は、サービング基地局２０２だけでなく、複数のノンサービング基地局２０４とアップリンクで通信する。図２には、簡単のため、１つのノンサービング基地局２０４及び対応するノンサービングセル２０５のみが示されているが、ＵＥ２０１は複数のノンサービングセル２０５と通信してもよいことが理解されるべきである。ＵＥ２０１が通信しているセル２０３、２０５のセットは、アクティブセットと称される。無線ネットワークコントローラ（ＲＮＣ：Radio  Network  Controller）２０６は、基地局２０２、２０４を制御し、ＵＥ２０１からの測定値に基づいて、ＵＥ２０１のアクティブセットを形成するセルのセットを判定する。ＵＥは、複数のアップリンクチャネル２０８及び複数のダウンリンクチャネル２０９を介して、サービング基地局２０２と通信し、複数のアップリンクチャネル２１０及び複数のダウンリンクチャネル２１１を介して、ノンサービング基地局２０４と通信している。アップリンクチャネル及びダウンリンクチャネルは、基地局２０２、２０４とＵＥ２０１との間の各リンクを形成する。
【００３０】
エンハンストアップリンクにおいて、ノードＢ２０２のスケジューラは、様々なＵＥの送信アクティビティを制御する。ＵＥ２０１は、スケジューリング要求をノードＢ２０２に送信し、サービングノードＢは、（スケジュールドグラント（scheduled  grants）とも称される）スケジューリンググラント２１２を、絶対的許可又は相対的許可の形でＵＥ２０１に送信して、拡張専用チャネル（Ｅ−ＤＣＨ：Enhanced  Dedicated  Channel）上のデータレートを制御する。サービング許可は、各ＵＥにおける内部変数であり、ＵＥ２０１がＥ−ＤＣＨ専用物理データチャネル（Ｅ−ＤＰＤＣＨ：E-DCH  Dedicated  Physical  Data  Channel）上で使用することが許可されるリソースの最大量をトラッキングするために用いられる。ノードＢ２０２は、スケジューリンググラント２１２をＵＥに対する絶対的許可又は相対的許可の形でＵＥ２０１に送信することによって、ＵＥ２０１内のサービング許可を更新することができる。ノンサービングノードＢは、相対的許可オーバーロードインジケータを送信することによって、ＵＥのサービング許可を減少させることができる。
【００３１】
より大きなスケジューリンググラント２１２は、ＵＥ２０１がより高いデータレートを使用するかもしれないことを暗示する。一方、より高いデータレートは、より大きなセル内干渉及びセル間干渉ももたらす。ノンサービングセル２０５は、自身のノンサーブドＵＥ２０１に如何なるスケジューリンググラントも発行しない。ただし、ノンサービングセル２０５は、オーバーロード標識２１３をダウンリンク２１１で送信することによって、依然としてＵＥ２０１のデータレートに影響を及ぼすことがあり、その結果、ＵＥ２０１にそのＥ−ＤＣＨデータレート（換言すれば、その送信電力）を低下させるように要求することがある。これは、ＵＥがノンサービングノードＢにもたらす干渉レベルを低減するであろう。
【００３２】
本発明の発明者は、ソフトハンドオーバ（ＳＨＯ）中のＵＥが、３ＧＰＰで考慮されるスキームにおいて提案されるように、合成されたＴＰＣに基づいて、その重み選択をする場合、その結果は次のようになり得ることを認識した：
‐適用されるアンテナ重みにおいて急激な変化が生じた場合（例えば、[ｗ１、ｗ２]＝[１．０]から[ｗ１、ｗ２]＝[０．１]への変化が発生した場合）、サービングセル及びノンサービングセルの双方が、測定される電力の不連続性を経験する。
‐ＵＥがビーム形成を適用している場合、ＵＥは、サービングセルとノンサービングセルのどちらが最も強い実効チャネルに関連づけられているかに応じて、そのビームをサービングセル又はノンサービングセルに向けてステアリングする。なぜなら、それがＵＥを電力制御するであろうセルだからである。
【００３３】
上記の第１の問題、即ち、アンテナ重みにおける急激な変化が電力の不連続性につながるであろうことを考慮すると、アンテナ切換又は適用されるプリコーディング重みにおける大きな変化が、システムパフォーマンスの観点から極めて望ましくないことがある状況が存在する。そのようなシナリオの一例は、ノンサービングセルに関連付られたライズオーバーサーマル（ＲｏＴ：rise  over  thermal）レベルが高い場合である。そのようなコンテキストにおいて、アンテナ重みの急激な変化は、周囲のノードＢによって測定されるセル間干渉の急激な増加をもたらすことがある。サービングセルと異なり、ノンサービングセルは、新たなスケジュールドグラント２１２をＥ−ＤＣＨ絶対的許可チャネル（Ｅ−ＡＧＣＨ：E-DCH  Absolute  Grant  Channel）上で発行することによってＵＥ送信電力を素早く低下させる可能性を欠くため、そのような干渉ピークは非常に有害となり得る。
【００３４】
ここで上記の第２の問題、即ち、ＵＥが、ビーム形成によって、即ち、相対位相差によって特徴付られる様々なプリコーディング重みを適用することによって、そのビーム２０７をサービング基地局２０２又はノンサービング基地局２０４に向けて様々な方向へステアリングすることが可能であることを考慮する。図２は、ＵＥ２０１が、そのビーム２０７をノンサービングセル２０５に向けたシナリオを示す。このシナリオにおいては、リンク２０８があまりに弱いために、高速専用物理制御チャネル（ＨＳ−ＤＰＣＣＨ：High-Speed  Dedicated  Physical  Control  Channel）をサービングセル２０３においてうまくデコードできないリスクがある。この状況は、ソフトハンドオーバ中のＵＥ２０１が、Ｆ−ＤＰＣＨ送信電力制御（ＴＰＣ）フィードバック情報を、サービングノードＢ及びノンサービングノードＢ２０２、２０４の双方から受信するために発生することがある。ＵＥ２０１が、異なる無線リンク２０９、２１１からのフィードバック情報を区別しない場合、ＵＥ２０１は、プリコーディング重みが更新される際に、全ての無線リンク２０９、２１１からのフィードバック情報（例えば、ＴＰＣコマンド）を考慮するであろう。ノンサービングノードＢ２０４への無線リンク２１０、２１１が、サービングノードＢ２０２へのリンク２０８、２０９よりも強く、且つ、ＵＥ２０１が、Ｆ−ＤＰＣＨ上でシグナリングされるＴＰＣコマンド又はＥ−ＤＣＨハイブリッドＡＲＱインジケータチャネル（Ｅ−ＨＩＣＨ：E-DCH  Hybrid  ARQ  Indicator  Channel）上でシグナリングされるＡＣＫ／ＮＡＣＫ指示に基づいて、そのプリコーディング重みを更新する場合、ＵＥ２０１は、ノンサービングノードＢ２０４における信号強度が最大化されるように、そのプリコーディング重みを適用するであろう。一方、サービングノードＢ２０２における信号対干渉雑音比（ＳＩＮＲ：Signal  to  Interference-plus-Noise  Ratio）は、考慮されない。これはＳＨＯ中のＵＥについてのインナーループ電力制御動作に類似しており、ＵＥは、最も強いリンクを有するノードＢ２０２、２０４においてＳＩＮＲ目標値が満たされるように、その送信電力を適合させることに留意されたい。換言すれば、ＵＥ２０１は、そのビームをノンサービングノードＢ２０４へ向ける。複数のアンテナからの同時送信は、単一のアンテナからの送信と比較して、全体としての遠距離場アンテナパターンにおける変動をより大きくさせる（これはいわゆるビーム形成ゲインである）。従って、これは、ノンサービングノードＢ２０４へのリンクとサービングノードＢ２０２へのリンクとの間の有効な品質の差を大きくするであろう。ノンサービングセル２０５へ向けられたビームが幾つかの理由から悪影響を及ぼし得ることは、注目に値することである：
【００３５】
‐ＨＳ−ＤＰＣＣＨは、サービングノードＢ２０２によってのみデコードされる。ＨＳ−ＤＰＣＣＨは、ＤＰＣＣＨ電力レベルについて無線リソース制御（ＲＲＣ：Radio  Resource  Control）を介して設定される半静的な（semi-static）電力オフセットを用いて送信されるので、「誤った方向に向けられた（misdirected）」ビームは、劣化したＨＳ−ＤＰＣＣＨカバレッジ、あるいは、著しく高いＤＰＣＣＨ信号対干渉比（ＳＩＲ）目標値がアクティブセットの全てのセルによって使用される結果を招き得る。これはオーバーヘッドを増加させ、且つ、データレートを低下させるであろう。
【００３６】
‐ノンサービングセル２０５に向けられたビーム２０７は、ノンサービングノードＢ２０４において、Ｅ−ＤＰＤＣＨ及び他の物理アップリンクチャネルをデコードするために充分なハードウェリソースが割り当てられた場合にのみ有用である。そうでない場合、アウターループ電力制御（ＯＬＰＣ：outer  loop  power  control）は、充分なハードウェアリソースが割り当てられたアクティブセットのセルのうちの少なくとも１つが、Ｅ−ＤＰＤＣＨをデコードできるくらいに高くなるまで、アクティブセットのセルについてのＤＰＣＣＨ  ＳＩＲ目標値を増加させるという反応を示すであろう。ＵＥ２０１のユーザによって経験されるパフォーマンスの低下に加えて、これはシステム２００中の周囲のセル、特にビーム２０７が向けられるノンサービングセル２０５が、不要に高い干渉レベルを経験することにつながるであろう。そうなると、セル２０５を高速ダウンリンク共有チャネル（ＨＳ−ＤＳＣＨ：High-Speed  Downlink  Shared  Channel）サービングセルとするＵＥ（図２には図示せず）に対してセル２０５がスケジューリングできる許可のサイズが小さくなるであろう。
【００３７】
従って、上述した問題を解決するために、その問題が発生する状況、又は、発生するかもしれない状況は、本明細書に記載される実施形態に従ってモニタされる。そのような状況が検出される場合、ＵＥにおける低いパフォーマンスを回避し、且つ、システムの他の部分に有害となり得る干渉を引き起こすことを回避するために、ＵＥによってプリコーディング重みが慎重に選択され及び更新されるべきである。本明細書に提示される実施形態は、ＵＥ及び／又はネットワークノードが、劣化したアップリンクパフォーマンス及び／又はダウンリンクパフォーマンスをもたらし得るアンテナ重みを検出し及び使用することを回避することを可能とする。本明細書に記載される実施形態は、例えば、シングルキャリア（ＳＣ：single-carrier）高速アップリンクアクセス（ＨＳＵＰＡ：High-Speed  Uplink  Access）システム及びマルチキャリア（ＭＣ：multi-carrier）高速アップリンクアクセス（ＨＳＵＰＡ）システムの双方に適用可能である。ここで、ＭＣ−ＨＳＵＰＡとは、ＳＣ−ＨＳＵＰＡを一般化した概念であり、ＵＥが２つ以上のアップリンクキャリアで同時に送信することができることを言う。
【００３８】
一実施形態によれば、ＵＥには、そのアンテナ重みにあまりに急激な変化を起こさないように、例えば、所定の状況（situation）が検出された場合には送信アンテナを切り替えないように、制約が課される。例えば、ＳＨＯ中のＵＥ２０１が、オーバーロード標識（overload  indication）をＥ−ＤＣＨ相対的許可チャネル（Ｅ−ＲＧＣＨ：E-DCH  Relative  Grant  Channel）上で受信した場合、ＵＥ２０１がアンテナを切り換えないようにすることは有利であろう。なぜなら、これはノンサービングセル２０５に機能停止（outage）をもたらす可能性があるからである。ＵＥが、そのプリコーディング重みを、あまり急激に変化させないように又はあまり頻繁に更新しないように制限し得る様々な方法が存在する。所定の状況は、ＵＥ自身によって、又は、ＲＮＣ若しくは基地局といったネットワークノードによって、モニタされ及び検出されてもよい。例えば、３ＧＰＰによって予め定義され、且つ、ＵＥのアクティブセットに現在入っていない強い隣接セルの検出を示す、イベント１ａをＵＥが報告する場合、ＲＮＣは、ＵＥがそのアンテナのうちの１つからのみ送信することを許可されることをシグナリングしてもよい。別の例では、サービングノードＢがＥ−ＤＰＤＣＨ及び／又はＨＳ−ＤＰＣＣＨの品質を測定し、サービングノードＢがこれらのチャネルについて劣化したパフォーマンスを検出した場合、例えば、ＵＥは１つのアンテナのみから送信すべきであることをＵＥに通知するレイヤ１／レイヤ２（Ｌ１／Ｌ２）信号を送信してもよい。
【００３９】
別の例示的な実施形態によれば、ＳＨＯ中のＵＥは、所定の状況が検出された場合、アンテナ重みを選択する際に、サービングノードＢ２０２に関連付られた、例えばＴＰＣコマンドといったフィードバック情報のみを考慮するように制限される。従って、ＵＥは、プリコーディング重みを選択する際、如何なるノンサービングノードＢ２０４からのフィードバック情報も考慮すべきではない。サービングノードＢからのフィードバックのみを考慮することによって、例えば、ビーム形成を適用しているＵＥが、常にそのビームをサービングノードＢに向けることが確保され得る。これは、例えば、ＨＳ−ＤＰＣＣＨカバレッジについて有益なことがある。所定の状況は、ＵＥ自身によって、又は、ＲＮＣ若しくは基地局といったネットワークノードによって、モニタされ及び検出されてもよい。例えば、サービングノードＢ２０２は、Ｅ−ＤＰＤＣＨ及び／又はＨＳ−ＤＰＣＣＨの品質を測定してもよく、これらのチャネルについて劣化したパフォーマンスを検出した場合、サービングノードＢ２０２は、例えばＵＥ２０１がそのプリコーディング重みを更新するときに、サービングノードＢからのフィードバック情報のみを考慮すべきであることをＵＥ２０１に通知するＬ１／Ｌ２信号を送信してもよい。
【００４０】
さらなる例示的な実施形態は、上述した例示的な実施形態の様々な観点の組み合わせに基づいてもよい。切換送信ダイバーシチ及びビーム形成の双方に適用可能な例示的な実施形態が存在する。
【００４１】
様々な例示的な実施形態が、以下により詳細に説明され及び議論されるであろう。ただし、実施形態の幾つかの観点についてより良い理解を提供するために、図３ａ−ｃがまず説明されるであろう。図３ａ−ｃは、２つの適用されるアンテナ重みの間の相対位相差が０度、１０度及び５０度である場合の様々な方位角の関数としての、２つのアンテナを有する線形等間隔アンテナアレイについての遠距離場アンテナパターンを示す図である。上述したように、ＵＥは、様々な複素アンテナ重みｗｉを適用することによって、そのエネルギーが放射される方向を決定すること、即ち、そのメインビームをある方向へステアリングすることができる。この方向は、送信アンテナに関連付られた相対位相に依存し、これは同様に複素アンテナ重みｗｉによって決定される。様々なアンテナ重みを適用することによって、ＵＥはそのビームの方向を制御することができる。このことは、図３ａ−ｃに示されている。図３ａにおいて、２つの送信アンテナのアンテナ重みの相対位相差は０度であり、図３ｂにおいて、相対位相差は１０度であり、また図３ｃにおいて、相対位相差は５０度である。図３ａ−ｃから、２つの送信アンテナに関連付られた「新たな」位相差が、「古い」、即ち、前回使用されたアンテナ重みと大きく異なるようにアンテナ重みが変更される場合、ある発射角（方位角）について、アンテナアレイゲインは、著しく変化することがあることに気付くことができる。図３ａ及び図３ｃから、「新たな」アンテナ重み及び「古い」アンテナ重みに関連付られた相対位相差が大きい場合、ビームの方向は異なるであろうことが分かる。相対位相における変化が大きいほど、ビームの方向における変化は大きくなるであろう。アンテナ重みにおけるあまりに大きな変化は、結果として、ＵＥがそのビーム及び放射されるエネルギーを完全に新たな方向へ向けることになる。このことは、他のノードＢによって測定される電力における非連続的な急上昇（discontinuous  jump）をもたらすことがある。参考として、送信が１つのアンテナのみから行われる場合であれば、遠距離場アンテナ放射パターンは等方的になる、即ち、遠距離場アンテナパターンは方位角に依存しないであろうことを指摘することができる。
【００４２】
図４は、図２に示されるＵＥ２０１といった、ＵＥにおける例示的な方法を示すフロー図である。ただし、当該方法の幾つかのステップの実行のされ方は、ＵＥがＳＨＯ中にある場合に影響を受け得るものの、例示的な方法は、ＳＨＯ中のＵＥのみに限定されるものではない。この方法を用いることにより、ＵＥは、所定の状況を識別すること、及び、どのようにプリコーディング重みが更新されるかについての制約のセットを適用することが可能となる。従って、この方法は、アンテナ重みのあまりに大きな変化がシステムパフォーマンスに対して悪影響を及ぼし得る状況において、ＵＥが、適用するアンテナ重みのあまりに大きな変化を識別し及び回避することを可能とし得る。このような状況を検出することによって、アンテナ重みにおける変化を制限することができる。
【００４３】
ステップ４１において、ＵＥは、第１のプリコーディング重みのセットを用いて、アップリンク送信を実行する。プリコーディング重みを更新する処理の一部として、ＵＥの状況が次いでステップ４２においてモニタされる。このＵＥの状況のモニタリングは、多くの異なる方法で実行されてもよいことに留意すべきである。幾つかの実施形態によれば、このステップは、ＵＥによって及びＵＥにおいて自律的に実行される。他の実施形態によれば、このモニタリングステップ４２は、ＵＥの状況を示すメッセージがネットワークノードから受信されたかどうかをＵＥがモニタすることを含む。どのようにＵＥの状況がモニタされ得るか、及び、どのＵＥの状況がモニタされ得るかについての様々なオプション及び例は、以下により詳細に議論される。ステップ４３において、所定の状況のセットのうちの１つが検出されたかどうかが判定される。
【００４４】
ユーザ機器が所定の状況のセットのうちの１つにあることが検出される場合、ステップ４４に従って、更新後のプリコーディング重みのセットを選択する際、検出された状況に関連付られた制約のセットが適用される。制約のセットは、更新後のプリコーディング重みのセットのプリコーディング重みと、アップリンク送信に適用された前回のプリコーディング重みとの間の変化の量を制限する。そのような制約は、例えば、次の観点から特定することができる：
‐ＵＥによって連続して適用される重みの間の最大許容相対位相変化、又は
‐ある期間中の最大の合計（aggregated）相対位相変化、例えば、フレームｍ＋１とフレームｍの第１のスロットに適用されるプリコーディング重みの間の相対位相差はｘ度よりも小さくなるべきである。
【００４５】
制約のセットと所定の状況のセットは、例えば、ＲＲＣシグナリングを介してネットワークによってシグナリングされるか、又は、標準仕様に従ってＵＥにハードコードされ得る。ステップ４４において適用される制約のセットは、異なる所定の状況については異なってもよく、又は、所定の状況のセット全体について同一であってもよい。
【００４６】
所定の状況が検出されない場合、更新後のプリコーディング重みは、ステップ４４において如何なる制約も適用されることなく、任意の通常のプリコーディング重み選択プロシージャに従って、ステップ４５において選択されてもよい。
【００４７】
選択された更新後のプリコーディング重みのセットは、ステップ４６において適用される。即ち、更新後のプリコーディング重みのセットを用いて、アップリンク送信が実行される。この方法は、次いで再度繰り返されてもよい。ただし、更新後のプリコーディング重みのセットは、使用された前回のプリコーディング重みのセットと同一であってもよいこと、即ち、プリコーディング重みに何の変化も加えられないことがあってもよいことに留意すべきである。プリコーディング重みを変化させない理由としては、制約のセットが変化を阻止したこと、又は、現時点でプリコーディング重みを変化させる必要がなかったことがあり得る。
【００４８】
ステップ４２においてモニタされるべき所定の状況のセットをどのように選択し及び特定するかについては、多くの異なるオプションが存在する。モニタされる状況及び基準は、適用されるアンテナ重みにおける変化を制限することが有益となり得る状況が識別されるように、選択されるべきである。ステップ４２においてモニタされ得る状況及び基準の幾つかの例は、以下に議論されるであろう。
【００４９】
‐ＵＥのサービング許可又はスケジュールドグラントが所定の閾値を超えたかどうかが、ステップ４２においてモニタされてもよく、超えた場合には、ステップ４４において制約のセットが適用されてもよい。ＵＥによって使用される送信電力が、そのサービング許可と共に増加するにつれて、高いサービング許可（その他全ては等しい）を有するＵＥは、最大のセル間干渉をもたらすであろう。この基準、即ち、ＵＥのサービング許可をモニタすることによって、当該ＵＥが最大のセル間干渉をもたらす可能性のあるＵＥの１つであるかを識別することができる。ＵＥがそのアンテナ重みを潜在的に急激に変化させることをさらに制限することによって、セル間干渉の不連続性を回避することができる。この制約はさらに、ノンサービングノードＢが、限定された量のハードウェアリソースをＳＨＯ中のＵＥに関連付られたＥ−ＤＰＤＣＨをデコードするために割り当てた状況において、パフォーマンスの観点からも有益となり得ることに留意されたい。これは、それがサポートできる最大レートを黙示的に制限する。所定の閾値はＵＥにＲＲＣを介してシグナリングされてもよく、又は、標準仕様に従ってＵＥにハードコードされてもよい。アンテナ重みに関する制約のセットは、サービング許可が別のおそらくより小さな所定の閾値を下回るまで縮小されるまで、適用され得る。
【００５０】
‐代替的に又は付加的に、ステップ４２において、ＵＥがノンサービングセルからオーバーロード標識を受信したかどうかがモニタされてもよい。通常、ノンサービングセルは、これらのセルの現在測定されるＲｏＴレベルがあまりに高いために、例えばセルのランダムアクセスカバレッジが脅かされる（endangered）場合、オーバーロード標識をＳＨＯ中のＵＥに送信する。そのため、ＵＥがオーバーロード標識をノンサービングセルから受信する場合、これは、オーバーロード標識を送信しているセルによって経験される、ほんのわずかに高い干渉レベルが、当該セル中の複数のＵＥについてのアップリンクカバレッジの減少の観点から深刻なパフォーマンスの低下を引き起こし得るという合図である。従って、オーバーロード標識を受信したＵＥについて、適用されるアンテナ重みにおける変化を制限することは有益なことがある。
【００５１】
‐代替的に又は付加的に、ステップ４２において、ＵＥがソフトハンドオーバ中であるかどうかがモニタされてもよい。オーバーロード標識が受信されなかった場合でも、ＵＥがソフトハンドオーバ中であることが検出され次第、プリコーディング重みがどのように更新されるかについて、制約を適用することは有益となることがある。しかしながら、オーバーロード標識が受信されなかった場合に適用される制約のセットは、任意的に、オーバーロード標識が受信された場合に適用される制約のセットよりも制限的でなくてもよい。
【００５２】
異なる例示的な実施形態は、上記に挙げられた例示的な基準の組み合わせを用いて、さらなる例示的な所定の状況を特定してもよい。
【００５３】
図５は、図２に示されるＵＥ２０１といった、ＵＥにおける別の例示的な方法を示すフロー図である。この例示的な方法は、ＳＨＯ中のＵＥに適用される。この方法を用いることによって、ＵＥは、所定の状況を識別すること、及び、アンテナ重みを選択する際にサービング基地局からのフィードバック情報のみを考慮することが可能となる。従って、アンテナ重みを更新するために、ＵＥのアクティブセットのうちの幾つかの基地局からのフィードバックは無視されてもよい。従って、この方法は、ＵＥが、そのビームを、ノンサービング基地局に向ける代わりに、サービング基地局に向けてステアリングすることを可能とし得る。
【００５４】
ステップ５１において、ＵＥは、アップリンク送信を第１のプリコーディング重みのセットを用いて実行する。ＵＥは、ステップ５２において、そのアクティブセット中の基地局、即ち、サービング基地局及びノンサービング基地局の双方から、フィードバック情報を受信する。プリコーディング重みを更新する処理の一部として、次いで、ＵＥの状況がステップ５３においてモニタされる。このＵＥの状況のモニタリングは、多くの異なる方法で実行されてもよいことに留意すべきである。幾つかの実施形態によれば、このステップは、ＵＥによって及びＵＥにおいて自律的に実行される。他の実施形態によれば、このモニタリングステップ５３は、ＵＥの状況を示すメッセージがネットワークノードから受信されたかどうかをＵＥがモニタすることを含む。どのようにＵＥの状況をモニタし得るか、及び、どのＵＥの状況をモニタし得るかについての異なるオプション及び例は、以下により詳細に議論されるであろう。ステップ５４において、所定の状況のセットのうちの１つが検出されたかどうかが判定される。
【００５５】
ユーザ機器が所定の状況のセットのうちの１つにあることが検出される場合、ステップ５５に従って、更新後のプリコーディング重みのセットを選択する際に、サービング基地局から受信されたフィードバック情報のみが考慮される。従って、更新後のプリコーディング重みのセットを選択する際、如何なるノンサービング基地局から受信されたフィードバック情報も考慮されない。このことは、ＵＥがそのビームをサービング基地局の代わりにノンサービング基地局に向けてステアリングすることを回避するであろうし、また、例えば、ＨＳ−ＤＰＣＣＨカバレッジがサービング基地局におけるデコーディングを可能にするのに充分であるように支援する。
【００５６】
所定の状況が検出されない場合、更新後のプリコーディング重みは、アクティブセット中の任意の基地局からの受信されたフィードバック情報に基づく任意の通常のプリコーディング重み選択プロシージャに従って、ステップ５６において選択され得る。
【００５７】
選択された更新後のプリコーディング重みのセットは、ステップ５７において適用される。即ち、更新後のプリコーディング重みのセットを用いて、アップリンク送信が実行される。この方法は、次いで再度繰り返されてもよい。
【００５８】
ステップ５３においてモニタされるべき所定の状況のセットを、どのように選択し及び特定するかについては、多くの異なるオプションが存在する。モニタされる状況及び基準は、ＵＥがそのビームをノンサービング基地局に向けるリスクがある状況が識別されるように、選択されるべきである。ステップ５３においてモニタされ得る状況及び基準の幾つかの例は、以下に議論されるであろう：
【００５９】
‐１つの例示的な実施形態によれば、ステップ５３において、ＵＥがＳＨＯ中であるか否かが単にモニタされる。ＵＥがソフトハンドオーバ中である場合、ＵＥは、ステップ５５に従ってアンテナ重みを選択する際にサービングセルからのフィードバック情報のみを考慮すべきである。これにより、ＵＥは、例えばビームをサービングノードＢのセルに向けてステアリングすることによって、サービングノードＢにおいて実現されるパフォーマンスに基づいてアンテナ重みの選択を行うようになるであろう。サービングセルはスケジュールドグラントを送信するため、充分な量のハードウェアリソースは、サービングノードＢにおいてのみ保証されることができ、且つ、ＨＳ−ＤＰＣＣＨのみがサービングノードＢによって受信されるので、ＵＥがそのビームをサービングセルに向けてステアリングすることは有益となり得る。
【００６０】
‐あるいは、ステップ５３において、スケジュールドグラントが所定の閾値を超えるかどうかがモニタされてもよい。スケジュールドグラントが所定の閾値を超える場合において、ステップ５６が実行されないときは、ステップ５５が実行されてもよい。これは、ネットワークが、ノンサービングセルにおいて割り当てられるハードウェアリソースの量を限定することを可能とするであろう。同時に、これは、ＵＥが高い許可を利用している場合、ＵＥがそのビームをハードウェアリソースが存在するサービングノードＢに向けてステアリングするようにする。所定の閾値は、ＲＲＣを介して設定可能であるか、又は、ＵＥにハードコードされ得る。
【００６１】
‐代替的に又は付加的に、ステップ５３において、所定の相対的な数の否定応答標識（negative  acknowledgement  indications）がサービング基地局から受信されたかどうかが、モニタされてもよい。この基準は、具体的には、最後のＹのうちのＸ（ここでＸ≦Ｙ）個のＥ−ＨＩＣＨ受信が「ＮＡＣＫ」に対応する場合、ステップ５５を実行するように特定され得る。ここで、Ｘ及びＹは、ＲＲＣシグナリングを介して設定可能とするか、又は、ＵＥにハードコードされ得る。サービング基地局からの否定応答の相対的な数が大きいことは、ＵＥが、そのビームをサービング基地局に向ける代わりにノンサービング基地局に向けたことの兆候であることがある。この基準は、ノンサービング基地局から受信される肯定応答の数の調査と組み合わされてもよい。ＵＥが、ノンサービング基地局から相対的に大きい数のＡＣＫを受信すると同時に、相対的に大きい数のＮＡＣＫをサービング基地局から受信する場合、これは、ＵＥがそのビームをサービング基地局に向ける代わりにノンサービング基地局に向けたことの非常に強い兆候であろう。
【００６２】
‐ステップ５３において、ＨＳ−ＤＰＣＣＨの劣化したアップリンクカバレッジが検出され得るかどうかもモニタすることができる。そのような兆候の一例は、サービングノードＢがＨＳ−ＤＳＣＨ上で再送信する、既に成功裏に受信されたはずのパケット、即ちＵＥがＡＣＫをＨＳ−ＤＰＣＣＨ上で送信したパケットの割合（fraction）が、閾値を超える場合である。従って、ステップ５３において、ＵＥが肯定応答を送信した、所定の相対的な数のパケットの再送信が受信されたかどうかがモニタされてもよい。ＨＳ−ＤＰＣＣＨの品質が低いと、レイヤ１及び無線リンク制御（ＲＬＣ：Radio  Link  Control）レイヤ上で不必要な再送信を引き起こすことがあり、また、チャネル品質指標（ＣＱＩ：Channel  Quality  Indicator）レポートの品質を低下させることがある。これらの観点は両方とも、経験されるダウンリンクデータレートを低下させる可能性がある。
【００６３】
異なる例示的な実施形態は、上記に挙げられた例示的な基準の組み合わせを用いて、さらなる例示的な所定の状況を特定してもよい。
【００６４】
上述したように、図４及び図５にそれぞれ示されるモニタリングステップ４２及び５３は、ＵＥの状況を示すメッセージがネットワークノードから受信されたかどうかをＵＥがモニタすることを含んでもよい。従って、ＲＮＣ２０６といったネットワークノード及び／又はノードＢ２０２若しくは２０４といった基地局は、ＵＥが所定の状況のうちの１つにあるかどうかを検出するように構成されてもよい。異なるネットワークノードによって検出され得る状況は、ネットワークノードのタイプに依存してもよく、また、異なるタイプの情報が異なるタイプのノードにおいて利用可能であるという事実に起因して、ＵＥによって検出され得る状況とは異なってもよい。異なる実施形態によれば、ネットワークノードは：
‐オープンループビーム形成が、システムパフォーマンス又は個々のＵＥのパフォーマンスのいずれかに、害を及ぼし得る状況を識別し、
‐そのような環境下で、ＵＥが、アンテナプリコーディング重みをあまりに急激に変化させることを制限するように構成されてもよい。慎重なプリコーディング重み選択をトリガリングするための、このネットワークサポートは、例えば、ＲＮＣ、ノードＢといった基地局、又は、機能性の一部がＲＮＣに存在し、且つ、機能性の一部が基地局に存在する分散された方法で実装されてもよい。
【００６５】
図６は、ＲＮＣ２０６又はノードＢ２０２若しくは２０４といった、ネットワークノードにおける方法の例示的な実施形態を示すフロー図である。ステップ６１において、ネットワークノードは、ＵＥが現在所定の状況のセットのうちの１つにあるかどうかを検出する。ＵＥが所定の状況のセットのうちの１つにあると検出される場合、ステップ６２において、ネットワークノードは、アップリンク送信用の更新後のプリコーディング重みのセットを選択する際に、検出される状況に関連付られた制約のセットを適用することをＵＥに通知するためのメッセージをＵＥに送信する。制約のセットは、更新後のプリコーディング重みのセットのプリコーディング重みと、アップリンク送信に適用された前回のプリコーディング重みとの間の変化の量を制限する。
【００６６】
図６に示される例示的な方法がサービングノードＢ及び／又はノンサービングノードＢに実装され、且つ、適用されるアンテナ／プリコーディング重みにおける変化を制限することが有益かもしれない状況を検出することが望まれると仮定すると、次の基準又は基準の組み合わせを用いて、所定の状況のセットを特定し、且つ、ステップ６２が実行されることをトリガしてもよい：
【００６７】
‐サービングノードＢが、所定の第１の閾値を超えるスケジュールドグラントを発行した。
【００６８】
‐ＵＥが、所定の第２の閾値を超える拡張専用チャネル‐トランスポートフォーマット組み合わせ識別子（Ｅ−ＴＦＣＩ：Enhanced  Dedicated  Channel-Transport  Format  Combination  Identifier）を使用することを、サービングノードＢが検出する。スケジュールドグラントのみを考慮する基準とは異なり、これはサービングノードＢがグラントの利用、即ち、ＵＥによって送信されるデータの量を考慮することも可能とする。これはサービングノードＢがＥ−ＤＣＨ専用物理制御チャネル（Ｅ−ＤＰＣＣＨ：E-DCH  Dedicated  Physical  Control  Channel）をデコードできることを必要とすることに留意されたい。
【００６９】
サービングノードＢが、所定の第３の閾値を超えるスケジュールドグラントを発行し、且つ、ＵＥが、所定の第４の閾値を超えるトータルＥ−ＤＣＨバッファステータス（ＴＥＢＳ：Total  E-DCH  Buffer  Status）値を報告した。ＴＥＢＳは、スケジューリング情報（ＳＩ：scheduling  information）情報において報告され、且つ、ＵＥがそのＥ−ＤＣＨバッファにどのくらいのデータを有しているかを示すために用いられる。
【００７０】
‐サービングノードＢが、ＵＥによって報告されるアップリンク電力ヘッドルーム（ＵＰＨ：uplink  power  headroom）が、所定の第５の閾値を超えることを検出する。ＵＰＨは、ＵＥがセル境界に近接しているか否かを識別するために用いることができる。ＵＥがセル境界に近接していればいるほど、ＵＥは、より大きなセル間干渉をもたらすであろうことに留意されたい。
【００７１】
‐サービングノードＢが、チャネル品質情報（ＣＱＩ：channel  quality  information）が所定の第６の閾値を下回ることを検出する。小さなＣＱＩ値は、ＵＥがセル境界に近接しており、従って、ＵＥがセル間干渉の顕著な原因であることを示すことに留意されたい。
【００７２】
‐サービングノードＢが、ＵＥバッファステータスに関する知識と組み合わされたグラントの利用を評価することができる。これは、例えば、ＳＩ中のＴＥＢＳ、又は、Ｅ−ＤＰＣＣＨ上で送信されるハッピービット（happy  bit）において入手可能である）。
【００７３】
‐ノンサービングノードは、セル間干渉の推定値が所定の第７の閾値を超えることを検出する。このことは、顕著なレベルのセル間干渉をもたらす少なくとも１つのＵＥが存在することを示す。
【００７４】
‐ノンサービングノードＢが、ＳＨＯ中のＵＥのＥ−ＴＦＣＩを調べ得る。このことも、特定のＵＥが、どのくらいのセル間干渉をもたらしているかを示す。
【００７５】
上記基準の１つ又は複数が、サービングノードＢ又はノンサービングノードＢについて満たされる場合、サービングノードＢ又はノンサービングノードＢは、プリコーディング重みの変更をどのくらい頻繁に及び急激に行えるかを制限するＬ１信号を、ＵＥに送信することができる。極端な例として、上記信号は、ＵＥが１つのアンテナのみから送信できること、又は、そのプリコーディング重みを一切更新できないことを意味することがある点に留意されたい。そのようなＬ１信号の一例は、高速共有制御チャネル（ＨＳ−ＳＣＣＨ：High-Speed  Shared  Control  Channel）命令（order）であってもよい。上記に挙げた基準において言及される様々な所定の閾値は、これらを区別するために番号が付けられているにすぎない。異なる所定の閾値が、異なる実施形態において使用されてもよい。
【００７６】
図６に示される例示的な方法がＲＮＣに実装され、且つ、適用されるアンテナ／プリコーディング重みにおける変化を制限することが有益となり得る状況を検出することが望ましいと仮定すると、次の基準又は基準の組み合わせを用いて、所定の状況のセットを特定し、及び、ステップ６２が実行されることをトリガしてもよい：
【００７７】
‐ＲＮＣが、イベント１ａ又はイベント１ｂを検出する。これらのイベントは、既に３ＧＰＰによって定義されており、当該イベントは、新たな隣接ノードＢがＵＥのレポーティング領域に入りつつある／から離れつつあることを示す。関連付られた閾値は、異なるイベントについては異なる値に設定されることができる点に留意されたい。
【００７８】
‐ＵＥのアクティブセットが複数のノードＢを含むようにＵＥが再設定されるべきであること、即ち、ＵＥがＳＨＯ状態に入るべきであることを、ＲＮＣが検出する。
【００７９】
‐ＲＮＣが、イベント６ａ又はイベント６ｂを検出する。これらのイベントは、既に３ＧＰＰによって定義されており、当該イベントは、フィルタリングされたＵＥ送信電力が、ＵＥについての関連付られた所定の閾値を超える／下回ることを示す。所定の閾値は、異なるイベントについて異なる値を設定されることができる点に留意されたい。
【００８０】
これらのイベントとは別に、ノードＢのみによって用いられるコンテキストで上述した８個の例示的な基準は、ＲＮＣ実装においても用いることができる。この情報は通常、ノードＢのみによって把握されているので、当該情報がサービングＲＮＣに伝達されるように、ノードＢからサービングＲＮＣへの、Ｉｕｂインタフェースを介した新たなシグナリングを発生させなければならないであろう。これらの基準のうちの１つ又は複数が満たされることが検出される場合、ＵＥが１つのアンテナのみから送信できるように、又は、ＵＥがそのプリコーディングベクトルに対してあまりに頻繁な及び／又は急速な更新ができないように、ＲＮＣはＲＲＣを介してＵＥを再設定してもよい。
【００８１】
図７は、ＲＮＣ２０６又はノードＢ２０２若しくは２０４といった、ネットワークノードにおける方法の別の例示的な実施形態を示すフロー図である。この例示的な方法は、ＳＨＯ中であって、且つ、サービング基地局及び複数のノンサービング基地局からフィードバック情報を受信しているＵＥにおけるアップリンク送信ダイバーシチをサポートすることに適用できる。ステップ７１において、ネットワークノードは、ＵＥが現在所定の状況のセットのうちの１つにあるかどうかを検出する。ＵＥは所定の状況のセットのうちの１つにあると検出される場合、ネットワークノードは、ステップ７２において、ＵＥにメッセージを送信して、アップリンク送信用の更新後のプリコーディング重みのセットを選択する際に、サービング基地局から受信されたフィードバック情報のみを考慮するようにＵＥに通知する。
【００８２】
図７に示される例示的な方法が、サービングノードＢ及び／又はノンサービングノードＢに実装され、且つ、ＳＨＯ中のＵＥが、そのサービングノードＢに対して劣化したリンクを有する状況を検出することが望まれると仮定すると、次の基準を用いて、所定の状況のセットを特定し、且つ、ステップ７２が実行されることをトリガすることができる：
【００８３】
‐サービングノードＢが、ＨＳ−ＤＰＣＣＨの劣化したアップリンクカバレッジの標識を検出する。そのような標識の一例は、サービングノードＢが、パケットをダウンリンクで送信したにもかかわらず、ＨＳ−ＤＰＣＣＨ上で送信されるＨＡＲＱ−ＡＣＫメッセージを検出できない場合である。受信されなかった（missed）ＨＡＲＱ−ＡＣＫ送信の割合（fraction）が閾値を超える場合、これはＨＳ−ＤＰＣＣＨの信号品質が劣化しているという標識として解釈することができる。言い換えれば、ノードＢがＵＥに送信したパケットの数に対応する、ＨＳ−ＤＰＣＣＨ上の所定の相対的な数の肯定応答メッセージを、ノードＢが検出できない場合に、ステップ７２がトリガされてもよい。
【００８４】
‐ＵＥによってＣＱＩが送信されるべきだったタイムスロットにおいて、サービングノードＢがＣＱＩを検出できない。受信されなかった（missed）ＣＱＩ送信の割合が閾値を超える場合、これはＨＳ−ＤＰＣＣＨの信号品質が劣化しているという標識として解釈することができる。言い換えれば、ＵＥからのチャネル品質標識が期待された複数のタイムスロットにおいてノードＢが所定の相対的な数のチャネル品質標識を検出できない場合、ステップ７２がトリガされてもよい。
【００８５】
‐サービングノードＢが、所定の相対的な数の否定応答標識をＵＥに送信した。例えば、サービングノードＢからのＥ−ＨＩＣＨ上での最後の「Ｎ」回のうち「Ｍ」回（ここでＭ≦Ｎ）のＨＡＲＱ−ＡＣＫ送信がＮＡＣＫに対応する場合、これはＵＥがノンサービングノードＢによって電力制御され、且つ、サービングノードＢへのリンクが劣化しているという標識として解釈することができる。
【００８６】
‐サービングノードＢにおける、測定されるＤＰＣＣＨ  ＳＩＲと、ＳＩＲターゲットとの差が、所定の期間について所定の第１の閾値を超える。これは、ＵＥがノンサービングノードＢによって電力制御され、且つ、サービングノードＢへのリンクが劣化しているという標識として解釈できる。
【００８７】
‐フラクショナル専用物理チャネル（Ｆ−ＤＰＣＨ：Fractional  Dedicated  Physical  Channel）上で送信される、送信電力制御（transmit  power  control）、即ちＴＰＣ、ＵＰコマンドの割合が、所定の第２の閾値を超える場合、これも、ＵＥがノンサービングノードＢによって電力制御され、且つ、サービングノードＢへのリンクが劣化しているという標識として解釈することができる。
【００８８】
上述した基準のうちの１つ又は複数が満たされる場合、サービングノードＢは、ＵＥがそのプリコーディング重みを選択する際に、サービングノードＢからのフィードバック情報のみを考慮すべきであることを示すＬ１信号をＵＥに送信してもよい。随意的に、Ｌ１信号は、ＵＥが１つのアンテナからのみ送信ができること、又は、ＵＥが、適用されるプリコーディング重みに対して、あまりに頻繁な及び／又はあまりに急激な変更を行うことはできないことも示してもよい。そのようなＬ１信号の一例は、ＨＳ−ＳＣＣＨ命令である。
【００８９】
図７に示される例示的な方法がＲＮＣに実装され、且つ、ＳＨＯ中のＵＥがそのサービングノードＢに対して劣化したリンクを有する状況を検出することが望ましいと仮定すると、次の基準を用いて、所定の状況のセットを特定し、且つ、ステップ７２が実行されることをトリガすることができる：
【００９０】
‐サービングノードＢからの成功したアップリンクパケットの割合が、ある閾値よりも小さい。これは、サービングノードＢへのアップリンクが、ノンサービングノードＢへのリンクよりも弱いという標識である。
【００９１】
‐ダウンリンクＲＬＣ再送信の確率が、所定の第３の閾値を超える。これは、ＨＳ−ＤＰＣＣＨ品質が劣化しているという標識である。あまりにＨＳ−ＤＰＣＣＨ品質が弱いと、サービングノードＢが、ＮＡＣＫをＡＣＫと誤解し、且つ、ＵＥがＡＣＫ／ＮＡＣＫを送信したとしても、ＨＡＲＱ−ＡＣＫ送信を検出できないという結果をもたらすことがある。これらの結果は双方ともに、最終的にＲＬＣ再送信の割合を高めることになるであろう。
【００９２】
上述した基準とは別に、サービングノードＢのみによって用いられるコンテキストで上述された５つの例示的な基準は、ＲＮＣ実装において用いることもできる。ただし、これはＩｕｂシグナリングを必要とするであろう。
【００９３】
ＵＥが、そのサービングノードＢに対して弱いアップリンクを経験していることをＲＮＣが検出した場合、ＲＮＣは、ＲＲＣシグナリングを介してＵＥを再設定するか、又は、Ｉｕｂを介してサービングノードＢに通知してもよく、サービングノードＢはＬ１シグナリング（例えば、ＨＳ−ＳＣＣＨ命令）を介してＵＥにメッセージを転送してもよい。ＲＮＣからの信号は、プリコーディング重みを選択する際にＵＥがサービングノードＢからのフィードバック情報のみを考慮すべきであることを意味し得る。随意的に、ＲＮＣからの信号は、ＵＥがアンテナのうちの１つのみから送信すべきであること、又は、プリコーディング重みをどのように更新するかについて、ＵＥが制約を適用すべきであることも示してもよい。
【００９４】
図８は、図４又は図５に係る方法を実行するように適合されるＵＥ２０１の例示的な実施形態の概略ブロック図である。図８に示されるように、ＵＥ２０１は、第１のアンテナ８１と、第２のアンテナ８２とを備える。ただし、ＵＥ２０１は、さらなるアンテナを備えてもよい。ＵＥは、受信器回路８３と送信器回路８４とを含む。あるいは、受信器回路及び送信器回路は、トランシーバユニットに一体化されてもよい。送信器回路８４及びアンテナ８１、８２は、特に、図４のステップ４１及び４６、又は、図５のステップ５１及び５７を実行するように設定される。受信器回路８３及びアンテナ８１、８２も、図５のステップ５２について設定される。処理回路８５が設けられる。図示される例示の実施形態によれば、処理回路８５は、図４のステップ４２及び４３、又は図５のステップ５３及び５４を実行するように適合される状況検出ユニット８６と、図４のステップ４４及び４５、又は、図５のステップ５５及び５６を実行するように適合されるプリコーディング重みセレクタ８７とを備える。処理回路８５は、前述したステップを実行するようにプログラムされた、１つ以上のプログラム可能なプロセッサの形態で具現化されてもよい。しかしながら、記載されたステップを実行することが可能な、任意のデータ処理回路、又は、異なるタイプの処理回路の組み合わせが用いられてもよい。例えば、モニタされるべき所定の状況に関連する情報、及び、対応する所定の状況が検出される場合に適用されるべき任意の関連付られた制約を格納するように適合される、メモリユニット８８がＵＥ２０１に設けられてもよい。
【００９５】
図９は、ＵＥ２０１の別の例示的な実施形態の概略ブロック図である。図９は、図８に示される例示的な実施形態の代替的な説明であってもよい。ＵＥ２０１は、アンテナ８１及びアンテナ８２を備える。ＵＥ２０１は、ダウンリンク信号を受信するように適合される入力ユニット９１と、アップリンク信号の出力のための出力ユニット９２も備える。入力ユニット９１及び出力ユニット９２は、ＵＥ２０１のハードウェアに一体化されてもよい。ＵＥ２０１にはさらに、ＣＰＵ９３が設けられる。ＣＰＵ９３は、単一のユニットであっても、又は、本明細書に記載されるプロシージャのステップを実行するように構成される幾つかのユニットから構成されてもよい。少なくとも１つのコンピュータプログラムプロダクト９４が、ＵＥ２０１に含まれる。コンピュータプログラムプロダクト９４は、例えば、ＲＡＭ、ＥＥＰＲＯＭ、フラッシュメモリ又はディスクドライブといった、揮発性メモリ又は不揮発性メモリの形態で具現化されてもよい。コンピュータプログラムプロダクト９４は、コンピュータプログラムサブモジュールを含む。図９は、ＵＥ２０１が所定の状況のセットのうちの１つにあるかどうかをモニタし及び検出することを支援する状況検出サブモジュール９５と、アップリンク送信用のプリコーディング重みの選択及び更新を制御するためのプリコーディング重み選択サブモジュール９６と、ダウンリンク信号の受信を支援するための受信サブモジュール９７と、アップリンク信号の送信を支援するための送信サブモジュール９８とを示す。サブモジュール９５−９８は、基本的に、図４のフロー図のステップ４１−４６、又は、図５のフロー図のステップ５１−５７を実行する。言い換えれば、様々なサブモジュール９５−９８がＣＰＵ９３上で実行される場合、ＵＥ２０１は、図４に示されるステップ４１−４６、又は、図５のフロー図のステップ５１−５７を実行する。サブモジュール９５−９８は、一般的に、ソフトウェアに実装されるであろう。ただし、完全に又は部分的に、ファームウェア、ハードウェア又はこれらの組み合わせによる実装も実現可能である。
【００９６】
上記の記載から、上述された幾つかの実施形態の利点は、送信ダイバーシチを適用するＵＥについて、充分なＨＳ−ＤＰＣＣＨカバレッジを提供する可能性を当該実施形態が改善することにあることは、明らかである。これは、ＵＥのビームを、サービング基地局に向ける代わりにノンサービング基地局に向けてステアリングすることを回避することによって達成される。
【００９７】
本明細書に提示される実施形態のうちの幾つかの別の利点は、ＵＥが利用可能な電波（air）及びハードウェアリソースの双方を考慮してアンテナ重みを選択するように、ネットワークが保証できることである。これは、ＵＥがそのビームを主にサービング基地局に向けてステアリングするようにすることで達成される。なぜなら、サービング基地局は、当該サービング基地局がＵＥに発行するスケジュールドグラントとの関連で、ハードウェアリソースを割り当てるからである。
【００９８】
本明細書に提示される実施形態のうちの幾つかのさらに別の利点は、ＵＥが、周囲のセルにおいて有害な干渉をもたらす状況又は方法で、そのアンテナ重みを変更することを回避できることである。従って、ノンサービングセル又は周囲のセルが、増加する干渉に対処できそうな状況においてのみ、ＵＥがそのアンテナ重みを変更するようにしてもよい。
【００９９】
さらなる利点は、上記の実施形態が、様々なアップリンク送信ダイバーシチ技法に関連して用いられてもよいことである。様々なアップリンク送信ダイバーシチ技法の例には、アンテナ切換ダイバーシチ及びビーム形成がある。
【０１００】
図面及び明細書においては、本発明の典型的な好ましい実施形態が開示されている。特定の用語が使用されていても、これらの用語は、限定のためではなく、一般的な及び記述的な意味でのみ用いられ、本発明の範囲は添付の特許請求の範囲に記載される。
【図１】
2013517735.tif 000003
【図２】
2013517735.tif 000004
【図３ａ】
2013517735.tif 000005
【図３ｂ】
2013517735.tif 000006
【図３ｃ】
2013517735.tif 000007
【図４】
2013517735.tif 000008
【図５】
2013517735.tif 000009
【図６】
2013517735.tif 000010
【図７】
2013517735.tif 000011
【図８】
2013517735.tif 000012
【図９】
2013517735.tif 000013
【手続補正書】
【提出日】平成23年11月17日(2011.11.17)
【手続補正１】
【補正対象書類名】特許請求の範囲
【補正対象項目名】全文
【補正方法】変更
【補正の内容】
【特許請求の範囲】
【請求項１】
ＨＳＰＡ（High-Speed  Packet  Access）通信システム（２００）のユーザ機器（２０１）におけるアップリンク送信ダイバーシチのための方法であって、
第１のプリコーディング重みのセットを用いてアップリンク送信を実行すること（４１）と、
前記アップリンク送信を継続するための更新後のプリコーディング重みのセットを選択することと、
選択された前記更新後のプリコーディング重みのセットを用いてアップリンク送信を実行すること（４６）と、
を含み、
前記更新後のプリコーディング重みのセットを選択することは：
前記ユーザ機器（２０１）が現在所定の状況のセットのうちの１つにあるのかどうかを検出すること（４３）と、
前記ユーザ機器（２０１）が前記所定の状況のセットのうちの１つにあると検出される場合、前記更新後のプリコーディング重みのセットを選択する際に、検出された状況に関連付られた制約のセットを適用すること（４４）と、
を含み、
前記所定の状況のセットは、
前記ユーザ機器（２０１）のサービング許可が所定の閾値を超える状況と、
前記ユーザ機器（２０１）がソフトハンドオーバ状態にある状況と、
前記ユーザ機器（２０１）がソフトハンドオーバ状態にあり、且つ、ノンサービングセル（２０５）からオーバーロード標識（２１３）を受信した状況と、
のうちの少なくとも１つ又は組み合わせを含み、
前記制約のセットは、前記更新後のプリコーディング重みのセットのプリコーディング重みと前記アップリンク送信に適用された前回のプリコーディング重みとの間の変化の量を制限する、
方法。
【請求項２】
前記制約のセットは、前記更新後のプリコーディング重みのセットの前記プリコーディング重みと、前記第１のプリコーディング重みのセットのプリコーディング重みとの間の最大許容相対位相変化を特定する、請求項１に記載の方法。
【請求項３】
前記制約のセットは、ある期間中の最大相対プリコーディング重み位相変化を特定する、請求項１に記載の方法。
【請求項４】
前記ユーザ機器（２０１）は、前記アップリンク送信にアンテナ切換ダイバーシチを適用しており、前記制約のセットは、前記ユーザ機器が前記アップリンク送信のためにアンテナを切り替えることを制限されることを特定する、請求項１に記載の方法。
【請求項５】
前記ユーザ機器（２０１）が前記所定の状況のセットのうちの１つにあることを検出すること（４３）は、前記所定の状況のセットのうちの１つが検出されたことを示すメッセージをネットワークノード（２０２，２０４，２０６）から受信することを含み、当該ネットワークノードからの当該メッセージの受信に応じて、前記更新後のプリコーディング重みのセットを選択する際、前記制約のセットが適用される、請求項１〜４のいずれか１項に記載の方法。
【請求項６】
アップリンク送信ダイバーシチをサポートするＨＳＰＡ（High-Speed  Packet  Access）通信システム（２００）において用いられるユーザ機器（２０１）であって、前記ユーザ機器（２０１）は、アップリンク送信及びダウンリンク送信のための複数のアンテナ（８１，８２）を備え、前記ユーザ機器（２０１）は：
第１のプリコーディング重みのセットを用いてアップリンク送信を実行し（４１）、
前記アップリンク送信を継続するための更新後のプリコーディング重みのセットを選択し、
選択された前記更新後のプリコーディング重みのセットを用いてアップリンク送信を実行する（４６）、
ように構成され、
前記ユーザ機器は：
前記ユーザ機器（２０１）が現在所定の状況のセットのうちの１つにあるのかどうかを検出し（４３）、
前記ユーザ機器（２０１）が前記所定の状況のセットのうちの１つにあると検出される場合、前記更新後のプリコーディング重みのセットを選択する際に、検出された状況に関連付られた制約のセットを適用する（４４）、
ことによって、前記更新後のプリコーディング重みのセットを選択するように構成され、
前記所定の状況のセットは、
前記ユーザ機器（２０１）のサービング許可が所定の閾値を超える状況と、
前記ユーザ機器（２０１）がソフトハンドオーバ状態にある状況と、
前記ユーザ機器（２０１）がソフトハンドオーバ状態にあり、且つ、ノンサービングセル（２０５）からオーバーロード標識（２１３）を受信した状況と、
のうちの少なくとも１つ又は組み合わせを含み、
前記制約のセットは、前記更新後のプリコーディング重みのセットのプリコーディング重みと前記アップリンク送信に適用された前回のプリコーディング重みとの間の変化の量を制限する、
ユーザ機器（２０１）。
【請求項７】
前記制約のセットは、前記更新後のプリコーディング重みのセットの前記プリコーディング重みと、前記第１のプリコーディング重みのセットのプリコーディング重みとの間の最大許容相対位相変化を特定する、請求項６に記載のユーザ機器（２０１）。
【請求項８】
前記制約のセットは、ある期間中の最大相対プリコーディング重み位相変化を特定する、請求項６に記載のユーザ機器（２０１）。
【請求項９】
前記ユーザ機器（２０１）は、前記アップリンク送信にアンテナ切換ダイバーシチを適用するように構成され、前記制約のセットは、前記ユーザ機器（２０１）が前記アップリンク送信のためにアンテナを切り替えることを制限されることを特定する、請求項６に記載のユーザ機器（２０１）。
【請求項１０】
前記ユーザ機器（２０１）は、前記所定の状況のセットのうちの１つが検出されたことを示すメッセージをネットワークノード（２０２，２０４，２０６）から受信することによって、前記ユーザ機器（２０１）が前記所定の状況のセットのうちの１つにあることを検出する（４３）ように構成され、前記ユーザ機器（２０１）は、当該ネットワークノード（２０２，２０４，２０６）からの当該メッセージの受信に応じて、前記更新後のプリコーディング重みのセットを選択する際、前記制約のセットを適用する（４４）ように構成される、請求項６〜９のいずれか１項に記載のユーザ機器（２０１）。
【請求項１１】
無線通信システム（２００）のユーザ機器（２０１）におけるアップリンク送信ダイバーシチをサポートするための、前記ＨＳＰＡ（High-Speed  Packet  Access）通信システム（２００）のネットワークノード（２０２，２０４，２０６）で用いられる方法であって、
前記ユーザ機器（２０１）が現在所定の状況のセットのうちの１つにあるかどうかを検出すること（６１）と、
前記ユーザ機器が前記所定の状況のセットのうちの１つにあると検出される場合、前記ユーザ機器（２０１）にメッセージを送信して（６２）、検出された状況に関連付られた制約のセットをアップリンク送信用の更新後のプリコーディング重みのセットを選択する際に適用すべきことを前記ユーザ機器（２０１）に通知することと、
を含み、
前記制約のセットは、前記更新後のプリコーディング重みのセットのプリコーディング重みと前記アップリンク送信に適用された前回のプリコーディング重みとの間の変化の量を制限する、
方法。
【請求項１２】
前記ネットワークノードは基地局（２０２，２０４）であり、前記所定の状況のセットは、次の状況のうちの少なくとも１つを含む、請求項１１に記載の方法：
前記基地局が、所定の第１の閾値を超えるスケジュールドグラント（２１２）を前記ユーザ機器（２０１）に発行した状況と、
前記ユーザ機器が、所定の第２の閾値を超える拡張専用チャネルのトランスポートフォーマット組み合わせ識別子を使用することを、前記基地局が検出する状況と、
前記基地局が、所定の第３の閾値を超えるスケジュールドグラント（２１２）を前記ユーザ機器（２０１）に発行し、且つ、前記ユーザ機器が、所定の第４の閾値を超えるトータル拡張専用チャネルバッファステータス値を前記基地局に報告した状況と、
前記ユーザ機器によって報告されるアップリンク電力ヘッドルームが所定の第５の閾値を超えることを、前記基地局が検出する状況と、
前記ユーザ機器によって報告されるチャネル品質情報値が所定の第６の閾値を下回ることを、前記基地局が検出する状況と、
セル間干渉の推定値が所定の第７の閾値を超える状況。
【請求項１３】
前記ネットワークノードは、無線ネットワークコントローラ（２０６）であり、前記所定の状況のセットは、次の状況のうちの少なくとも１つを含む、請求項１１に記載の方法：
新たな隣接基地局が、前記ユーザ機器のレポーティング領域に入りつつあることが検出される状況と、
隣接基地局が、前記ユーザ機器のレポーティング領域から離れつつあることが検出される状況と、
前記ユーザ機器が、ソフトハンドオーバ状態に設定されるべきである状況と、
前記ユーザ機器のフィルタリングされた送信電力が、当該ユーザ機器についての所定の第８の閾値を超えることが検出される状況と、
前記ユーザ機器の前記フィルタリングされた送信電力が、当該ユーザ機器についての所定の第９の閾値を下回ることが検出される状況。
【請求項１４】
アップリンク送信ダイバーシチをサポートするＨＳＰＡ（High-Speed  Packet  Access）通信システムにおいて用いられるネットワークノード（２０２，２０４，２０６）であって、前記ネットワークノードは、
前記無線通信システム（２００）のユーザ機器（２０１）が現在所定の状況のセットのうちの１つにあるかどうかを検出し（６１）、
前記ユーザ機器（２０１）が前記所定の状況のセットのうちの１つにあると検出される場合、前記ユーザ機器（２０１）にメッセージを送信して（６２）、検出された状況に関連付られた制約のセットをアップリンク送信用の更新後のプリコーディング重みのセットを選択する際に適用すべきことを前記ユーザ機器（２０１）に通知する、
ように構成され、
前記制約のセットは、前記更新後のプリコーディング重みのセットのプリコーディング重みと前記アップリンク送信に適用された前回のプリコーディング重みとの間の変化の量を制限する、
ネットワークノード。
【請求項１５】
前記ネットワークノードは、基地局（２０２，２０４）であり、前記所定の状況のセットは、次の状況のうちの少なくとも１つを含む、請求項１４に記載のネットワークノード：
前記基地局が、所定の第１の閾値を超えるスケジュールドグラント（２１２）を前記ユーザ機器（２０１）に発行した状況と、
前記ユーザ機器が、所定の第２の閾値を超える拡張専用チャネルのトランスポートフォーマット組み合わせ識別子を使用することを、前記基地局が検出する状況と、
前記基地局が、所定の第３の閾値を超えるスケジュールドグラント（２１２）を前記ユーザ機器（２０１）に発行し、且つ、前記ユーザ機器が、所定の第４の閾値を超えるトータル拡張専用チャネルバッファステータス値を前記基地局に報告した状況と、
前記ユーザ機器によって報告されるアップリンク電力ヘッドルームが所定の第５の閾値を超えることを、前記基地局が検出する状況と、
前記ユーザ機器によって報告されるチャネル品質情報値が所定の第６の閾値を下回ることを、前記基地局が検出する状況と、
セル間干渉の推定値が所定の第７の閾値を超える状況。
【請求項１６】
前記ネットワークノードは、無線ネットワークコントローラ（２０６）であり、前記所定の状況のセットは、次の状況のうちの少なくとも１つを含む、請求項１４に記載のネットワークノード：
新たな隣接基地局が、前記ユーザ機器のレポーティング領域に入りつつあることが検出される状況と、
隣接基地局が、前記ユーザ機器のレポーティング領域から離れつつあることが検出される状況と、
前記ユーザ機器が、ソフトハンドオーバ状態に設定されるべきである状況と、
前記ユーザ機器のフィルタリングされた送信電力が、当該ユーザ機器についての所定の第８の閾値を超えることが検出される状況と、
前記ユーザ機器の前記フィルタリングされた送信電力が、当該ユーザ機器についての所定の第９の閾値を下回ることが検出される状況。
【国際調査報告】
2013517735.tif 000014
2013517735.tif 000015
2013517735.tif 000016